(57)【要約】【課題】電子タグを利用した不正発見作業を良好に行うことができる遊技機を提供すること。【解決手段】主制御装置ユニット６１は、取付台９１と、主制御装置９２と、カバー部材９３と、を備えている。主制御装置９２は、主制御基板を内部に収容する基板ボックス１０２を備えており、当該基板ボックス１０２は表側構成体１１１と裏側構成体１１２とが組み合わされて形成されている。また、表側構成体１１１に形成された表側固定ベース部１３１と裏側構成体１１２に形成された裏側固定ベース部１３２とが相互に重ね合わせられることによって貼付領域が形成されており、当該貼付領域に対して封印シール１６０が貼り付けられている。そして、この封印シール１６０が貼り付けられた領域は、所定の内部空間を有するカバー部材９３により外側から覆われている。【選択図】      図６
2010131226.tif 000002
【特許請求の範囲】
【請求項１】
固有の識別情報を記憶した記憶部と、所定の長さ寸法を有するとともに前記識別情報を含む電波を発信するアンテナ部と、を備えた電子タグを有し、
予め定められた監視対象の一部の分離が行われる場合又は予め定められた監視対象の設置箇所からの移動が行われる場合に前記アンテナ部が長さ方向の途中位置において切断が生じ得るように前記電子タグが取り付けられており、
さらに、前記電波を受信することで前記識別情報の読み取りを行うリーダ装置を用いた読み取り作業に際して、前記電子タグに対して少なくとも特定の向きから前記リーダ装置による識別情報の読み取りを行う場合の読み取り位置が前記電子タグに対して予め定められた距離以上離れた位置となるように制限する制限手段を備えていることを特徴とする遊技機。
【請求項２】
固有の識別情報を記憶した記憶部と、所定の長さ寸法を有するとともに前記識別情報を含む電波を発信するアンテナ部と、を備えた電子タグを有し、
一方の面に粘着層を有するベースシートの粘着層側に前記電子タグが取り付けられていることでシール部材が構成されているとともに、当該シール部材は、予め定められた監視対象に対して貼り付けられており、
前記シール部材がその貼付領域から剥がされる際にその応力に伴い自身が破壊されることに伴って前記アンテナ部が長さ方向の途中位置において切断が生じ得るように前記シール部材が形成されており、
さらに、前記電波を受信することで前記識別情報の読み取りを行うリーダ装置を用いた読み取り作業に際して、前記電子タグに対して少なくとも特定の向きから前記リーダ装置による識別情報の読み取りを行う場合の読み取り位置が前記電子タグに対して予め定められた距離以上離れた位置となるように制限する制限手段を備えていることを特徴とする遊技機。
【請求項３】
前記制限手段は、前記電子タグから前記特定の向きに前記予め定められた距離以上離れた位置に配置され、前記電波を透過可能に形成された離間壁部を有していることを特徴とする請求項１又は２に記載の遊技機。
【請求項４】
前記制限手段は、前記監視対象に対して取り付けられており、当該監視対象との間で前記電子タグの収容領域を形成するとともに前記離間壁部を有するカバー部材であることを特徴とする請求項３に記載の遊技機。
【請求項５】
前記カバー部材は、前記監視対象に対して取付部を介して取り付けられており、
当該取付部は、前記カバー部材の取り外しを不可とするように、取り外しをしづらくするように、又は取り外しに際して前記取付部若しくは前記カバー部材の破壊を要するように形成されていることを特徴とする請求項４に記載の遊技機。
【請求項６】
前記監視対象において前記電子タグが設けられた領域は他の遊技機構成部品と並ぶようにして配置されているとともに、前記他の遊技機構成部品と並ばない向きの少なくとも一部の向きとして前記特定の向きが設定されていることを特徴とする請求項３乃至５のいずれか１に記載の遊技機。
【請求項７】
前記制限手段は、前記監視対象が搭載される搭載面が形成された搭載部を備えており、
前記特定の向きは、前記搭載部を基準として前記搭載面側とは反対側から前記リーダ装置による識別情報の読み取りを行う向きであり、
前記搭載面側とは反対側の領域から前記電子タグに対して前記リーダ装置を近付けることができる最短距離が前記予め定められた距離以上となるように前記搭載部が形成されていることを特徴とする請求項１又は２に記載の遊技機。
【請求項８】
前記制限手段は、前記搭載面側において前記電子タグが設置された領域の周囲であって前記電子タグから前記搭載部に向けた側以外の位置に配置され、前記電波を透過不可とする又は透過しづらくする規制壁部を有していることを特徴とする請求項７に記載の遊技機。
【発明の詳細な説明】
【技術分野】
【０００１】
本発明は、遊技機に関するものである。
【背景技術】
【０００２】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。
【０００３】
この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。
【０００４】
このような不正行為に対処すべく、例えば、制御基板を透明な基板ボックス内に収容して制御基板の状態を外部から容易に視認できるようにする、基板ボックスに封印構造（いわゆる、カシメ構造）を設けて基板ボックスの開封時には破壊等による開封履歴を残すようにする、又は基板ボックスを構成する複数のケース体を跨ぐように再貼付不可能であり且つ剥がすと痕跡が残る有脆弱性の封印シールを貼り付ける等の不正対策が採用されている（例えば特許文献１参照）。これらの不正対策は、基板ボックスが開封された事実や制御基板が交換された事実を目視確認する場合にその確認作業を補助するものであり、またこのような不正対策の存在により不正行為を躊躇させる効果がある。
【０００５】
上記の各種不正対策はいずれも制御基板や基板ボックスを目視確認するものであり、日々の確認作業は煩雑である。また、封印箇所を目視では確認しづらい程度に巧妙に復元したものを発見するのは大変な作業である。特に、遊技機設置台数の多い大型の遊技ホールではそのような問題が顕著となる。
【０００６】
一方、目視確認による不正対策以外の新たな不正対策として、例えば、制御基板又は当該制御基板を収容する基板ボックスに、固有ＩＤ等の識別情報が記憶されたＩＣチップ部及びアンテナ部を含む電子タグを取り付けた構成が開示されている（例えば特許文献２参照）。
【特許文献１】特開２００３−１８０９１７号公報
【特許文献２】特開２００５−１４３６４１号公報
【発明の開示】
【発明が解決しようとする課題】
【０００７】
電子タグを取り付けておけば、遊技ホールの管理者などがリーダ装置により識別情報の読取作業を行うことで、制御基板の不正な交換等の発生有無が確認される。このような電子タグを用いた不正対策では、リーダ装置による読み取り結果により不正発見をすることができることから、封印箇所の目視確認に比べて不正発見のための労力は少ないし、不正の見落としも少なくなることが期待される。
【０００８】
上記不正発見のための具体的な構成としては、例えば、基板ボックスの内部空間の開放に際してアンテナ部が切断されるように電子タグを取り付ける構成が考えられる。アンテナ部は動作周波数に応じた最適なものとなるように形成されているため、基板ボックスの内部空間を不正に開放したことに伴ってアンテナ部が切断された場合には、アンテナ部が適切に機能しなくなり識別情報の読取作業が行えなくなることで、当該不正開放が発見し易くなることが期待される。
【０００９】
しかしながら、アンテナ部は動作周波数に応じて所定の長さ寸法を有しており、切断されたとしてもその切断箇所の位置によっては、リーダ装置との通信がしづらくはなるものの、通信可能な状態が維持されることがある。そうすると、基板ボックスの不正開放が行われたにも関わらず、それを発見できない状況が発生し得る。
【００１０】
本発明は、上記例示した事情等に鑑みてなされたものであり、電子タグを利用した不正発見作業を良好に行うことができる遊技機を提供することを目的とするものである。
【課題を解決するための手段】
【００１１】
以下、上記課題を解決するための手段について記載する。
【００１２】
請求項１記載の発明は、固有の識別情報を記憶した記憶部と、所定の長さ寸法を有するとともに前記識別情報を含む電波を発信するアンテナ部と、を備えた電子タグを有し、予め定められた監視対象の一部の分離が行われる場合又は予め定められた監視対象の設置箇所からの移動が行われる場合に前記アンテナ部が長さ方向の途中位置において切断が生じ得るように前記電子タグが取り付けられており、さらに、前記電波を受信することで前記識別情報の読み取りを行うリーダ装置を用いた読み取り作業に際して、前記電子タグに対して少なくとも特定の向きから前記リーダ装置による識別情報の読み取りを行う場合の読み取り位置が前記電子タグに対して予め定められた距離以上離れた位置となるように制限する制限手段を備えていることを特徴とする。
【発明の効果】
【００１３】
電子タグを利用した不正発見作業を良好に行うことができる。
【発明を実施するための最良の形態】
【００１４】
＜第１の実施の形態＞
以下、遊技機の一種であるパチンコ遊技機（以下、「パチンコ機」という）の第１の実施の形態を、図面に基づいて詳細に説明する。図１はパチンコ機１０を前方から見た斜視図、図２はパチンコ機１０を構成する遊技機本体１２の分解斜視図である。なお、図２では便宜上パチンコ機１０の遊技領域内の構成を省略している。
【００１５】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００１６】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００１７】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００１８】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１９】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００２０】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００２１】
次に、遊技機本体１２の前面側の構成について説明する。
【００２２】
図２に示すように、内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００２３】
ここで、遊技盤３３の構成を図３に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４、可変入賞装置３５及び作動口３６に遊技球が入ると、それが図示しない検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００２４】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２５】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２６】
遊技結果表示部（又は抽選結果表示部）として設けられた第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２７】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２８】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。遊技球発射機構５０は、図２に示すように、樹脂ベース３１における窓孔３２の下方に取り付けられており、前扉枠１４に設けられたハンドル装置５９が操作されることにより遊技球の発射動作が行われる。
【００２９】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、窓パネル５６が嵌め込まれている。窓パネル５６は、ガラスによって無色透明に形成されているが、これに限定されることはなく合成樹脂によって無色透明に形成してもよい。窓部５５の周囲には、各種ランプ等の発光手段が設けられている。また、左上及び右上の位置には、遊技状態に応じた効果音などが出力されるスピーカ部が設けられている。
【００３０】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００３１】
次に、遊技機本体１２の背面側の構成について説明する。図４は、内枠１３の背面図である。
【００３２】
図４に示すように、内枠１３（遊技盤３３）の背面には、主制御装置ユニット６１及び音声ランプ制御装置ユニット６５が搭載されている。これらのうち主制御装置ユニット６１の具体的な構成については、後に詳細に説明する。
【００３３】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置ユニット６１に搭載された主制御装置９２からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３４】
裏パックユニット１５は、図２に示すように、裏パック７１を備えており、当該裏パック７１に対して、払出機構部７２及び制御装置集合ユニット７３が取り付けられている。なお、裏パック７１は透明性を有する合成樹脂により形成されており、主制御装置ユニット６１の一部や音声ランプ制御装置ユニット６５などを後方から覆うように、後方に突出し略直方体形状をなす保護カバー部７５を有している。
【００３５】
払出機構部７２は、保護カバー部７５を迂回するようにして配設されており、遊技場の島設備から供給される遊技球が逐次補給されるタンク７７と、当該タンク７７に貯留された遊技球を払い出すための払出装置７８と、を備えている。払出装置７８より払い出された遊技球は、当該払出装置７８の下流側に設けられた図示しない払出通路を通じて、上皿５７ａ又は下皿５８ａに排出される。また、払出機構部７２には、例えば交流２４ボルトの主電源が供給されるとともに、電源のＯＮ操作及びＯＦＦ操作を行うための電源スイッチが設けられた裏パック基板が搭載されている。
【００３６】
制御装置集合ユニット７３は、払出制御装置８２と電源及び発射制御装置８３とを備えている。これら払出制御装置８２と電源及び発射制御装置８３とは、払出制御装置８２がパチンコ機１０後方となるように前後に重ねて配置されている。
【００３７】
払出制御装置８２は、払出装置７８を制御する払出制御基板が基板ボックス内に収容されて構成されている。電源及び発射制御装置８３は、電源及び発射制御基板が基板ボックス内に収容されて構成されており、当該基板により、各種制御装置等で要する所定の電力が生成されて出力され、さらに遊技者によるハンドル装置５９の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００３８】
次に、主制御装置ユニット６１の構成を、図５及び図６を参照しながら説明する。図５（ａ）は主制御装置ユニット６１の斜視図、図５（ｂ）は主制御装置ユニット６１の側面図、図６は主制御装置ユニット６１の分解斜視図である。
【００３９】
主制御装置ユニット６１は、合成樹脂製の取付台９１と、当該取付台９１に搭載される主制御装置９２と、主制御装置９２の一部を外側から被包するカバー部材９３と、を備えている。当該主制御装置ユニット６１は、遊技盤３３と主制御装置９２との間に取付台９１が挟まれ、主制御装置９２がパチンコ機１０後方を向くようにして、遊技盤３３の裏面に搭載されている。
【００４０】
取付台９１は、図６に示すように、主制御装置９２が搭載される搭載領域９５が形成されたベース部９６と、当該ベース部９６を遊技盤３３の裏面に対して回動可能な状態で支持させる支持アーム９７と、を有し、これらが一体形成されてなる。
【００４１】
支持アーム９７はベース部９６において搭載領域９５とは反対側の面よりも遊技盤３３側に延出させて形成されており、その延出領域の先端部に軸部９８が一体形成されている。当該軸部９８が遊技盤３３の裏面に設けられた支持金具９９に対して回転可能な状態で支持されていることにより、主制御装置ユニット６１が遊技盤３３に支持されている。取付台９１において支持アーム９７が形成された側とは反対側の端部には保持操作及び保持解除操作を可能とする図示しない保持具が設けられており、ベース部９６の搭載領域９５とは反対側の面が遊技盤３３の裏面に対向する閉鎖位置に取付台９１を配置した状態で保持具に対して保持操作を行うことで当該保持具が遊技盤３３に保持され、当該閉鎖位置において取付台９１が保持される。また、当該保持具に対して保持解除操作が行われることにより、取付台９１を開放位置に向けて回動させることが可能となる。
【００４２】
ここで、支持アーム９７が上記のとおりベース部９６において搭載領域９５とは反対側の面よりも遊技盤３３側に延出させて形成されているとともに、その延出領域の先端に軸部９８が設けられていることにより、取付台９１が閉鎖位置に配置されている状態においてベース部９６と遊技盤３３とは所定の距離離間されている。また、ベース部９６は所定の厚み寸法を有している。したがって、取付台９１に搭載された主制御装置９２は遊技盤３３の表面からパチンコ機１０後方に所定の距離離間されているとともに、当然のことながら、その所定の距離よりも大きな距離分、前扉枠１４の表面に対して主制御装置９２はパチンコ機１０後方に離間されている。
【００４３】
遊技盤３３の裏面において主制御装置ユニット６１の上方には、図５（ｂ）に示すように、可変表示ユニット３８及び音声ランプ制御装置ユニット６５が搭載されており、主制御装置９２が下方となるようにして音声ランプ制御装置６６と主制御装置９２とは上下に並設されている。また、遊技盤３３を基準とした主制御装置９２のパチンコ機１０後方への張り出し量は、音声ランプ制御装置６６のパチンコ機１０後方への張り出し量と略同一、より詳細には若干少ない程度となっているが、両張り出し量が同一である構成としてもよい。この場合、主制御装置９２の長さ方向の略全体が音声ランプ制御装置６６の下方への投影範囲内に含まれている。但し、これに限定されることはなく、主制御装置９２の長さ方向の全体が音声ランプ制御装置６６の下方への投影範囲内に含まれる構成としてもよい。
【００４４】
裏パックユニット１５が内枠１３に対して閉鎖位置に配置されている状態において、主制御装置ユニット６１の下方には、図５（ｂ）に示すように、裏パックユニット１５に設けられた制御装置集合ユニット７３が配置されており、主制御装置９２が上方となるようにして主制御装置９２と払出制御装置８２とは上下に並設されている。また、遊技盤３３を基準とした主制御装置９２のパチンコ機１０後方への張り出し量は、払出制御装置８２のパチンコ機１０後方への張り出し量と略同一、より詳細には若干少ない程度となっているが、両張り出し量が同一である構成としてもよい。この場合、主制御装置９２の長さ方向の略全体が払出制御装置８２の上方への投影範囲内に含まれている。但し、これに限定されることはなく、主制御装置９２の長さ方向の全体が払出制御装置８２の上方への投影範囲内に含まれる構成としてもよい。
【００４５】
つまり、主制御装置９２は、裏パックユニット１５が閉鎖位置に配置されている状態において、第１遊技機構成体である音声ランプ制御装置６６と第２遊技機構成体である払出制御装置８２とにより主制御装置９２がその幅方向（より具体的には、縦方向）に挟まれることとなる。なお、裏パックユニット１５が閉鎖位置に配置されている状態では、主制御装置９２の一部が保護カバー部７５によりパチンコ機１０後方から覆われることとなるが、これに限定されることはなく、主制御装置９２の全体が保護カバー部７５によりパチンコ機１０後方から覆われる構成としてもよく、主制御装置９２の全体が保護カバー部７５によりパチンコ機１０後方から覆われない構成としてもよい。
【００４６】
次に、主制御装置９２の構成を、図７乃至図１０を参照しながら説明する。図７（ａ）は主制御装置９２の斜視図、図７（ｂ）は主制御装置９２の側面図、図８は主制御装置９２を表面側から見た分解斜視図、図９は主制御装置９２を裏面側から見た分解斜視図である。
【００４７】
主制御装置９２は、図８及び図９に示すように、主制御基板１０１と基板ボックス１０２とを備えており、当該基板ボックス１０２内に主制御基板１０１が収容されて構成されている。
【００４８】
主制御基板１０１は、主たる制御を司るＣＰＵ、遊技プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ１０３に１チップ化されている。また、詳細な説明は省略するが、入出力ドライバ用ＩＣチップ１０４及びラッチ用ＩＣチップ１０５が搭載されている。また、図示は省略するが、主制御基板１０１には、コンデンサや抵抗などの各種素子や複数のコネクタが搭載されている。
【００４９】
主制御基板１０１においてＣＰＵチップ１０３などの各種素子やコネクタは全て同一の板面上に搭載されており、その逆側の板面にて半田付けされている。つまり、主制御基板１０１は、一方の板面が素子搭載面１０６となっており、他方の板面が半田面１０７となっている。なお、半田面１０７とは、素子搭載面１０６に搭載される各種素子の半田付け部分が設けられる面であるが、当該半田面１０７に対して回路パターンが形成されていてもよい。また、両板面が素子搭載面として構成されていてもよい。
【００５０】
基板ボックス１０２は、複数のケース体として、表側構成体（ボックスカバー）１１１と裏側構成体（ボックスベース）１１２とを備えている。これら表側構成体１１１及び裏側構成体１１２は、基板ボックス１０２内に収容された主制御基板１０１の素子搭載面１０６及び半田面１０７を基板ボックス１０２外から視認可能なように透明性を有する材料により形成されている。具体的には、無色透明のポリカーボネート樹脂により形成されているが、これに限定されることはなく、アクリル樹脂等であってもよい。
【００５１】
表側構成体１１１及び裏側構成体１１２が組み合わされることにより、図７（ａ），（ｂ）に示すように、基板ボックス１０２は四角箱状（略直方体形状）に形成されており、所定の内部空間を有している。
【００５２】
詳細には、表側構成体１１１は、図８に示すように、当該表側構成体１１１の周縁を規定する表側周縁部１１３と、当該表側周縁部１１３から一方に膨出するようにして形成された膨出部１１４とが一体形成されてなる。これら表側周縁部１１３と膨出部１１４とにより、表側構成体１１１は膨出部１１４の膨出側とは反対側に開放された略直方体形状をなしている。また、表側構成体１１１は正面視で長方形状をなしている。なお、詳細な説明は省略するが、表側構成体１１１の膨出部１１４には主制御基板１０１に設けられたコネクタを基板ボックス１０２の外部に露出させるための開口部や、放熱用の開口部が形成されている。
【００５３】
表側構成体１１１にはその背面側から主制御基板１０１がネジ固定されている（所定の工具を用いて着脱可能な状態で固定されている）。表側構成体１１１への主制御基板１０１のネジ固定は、主制御基板１０１の半田面１０７側から行われており、主制御基板１０１の素子搭載面１０６に搭載された各種素子は、主制御基板１０１と表側構成体１１１との間の領域内に収容されている。ちなみに、図９に示すように膨出部１１４の裏面側には主制御基板１０１に向けて延びる囲み壁部１１５が形成されており、表側構成体１１１と主制御基板１０１との間の空間において主制御基板１０１のＣＰＵチップ１０３は囲み壁部１１５により周囲が囲まれている。
【００５４】
主制御基板１０１が一体化された表側構成体１１１に対して、裏側構成体１１２が固定されている。裏側構成体１１２は、図８及び図９に示すように、正面視で四角形状、具体的には長方形状をなす略板状に形成されており、平面状に形成された平面部１１６と、当該平面部１１６の周縁を囲むようにして形成された裏側周縁部１１７とが一体形成されてなる。
【００５５】
表側構成体１１１に対してその裏面側から裏側構成体１１２を固定することにより、表側構成体１１１の表側周縁部１１３と裏側構成体１１２の裏側周縁部１１７とが重なり、膨出部１１４の裏面側への開放部分が裏側構成体１１２の平面部１１６により閉塞される。この場合、主制御基板１０１の半田面１０７は、裏側構成体１１２により覆われている。つまり、主制御基板１０１の素子搭載面１０６はその全体が表側構成体１１１と対向しており、主制御基板１０１の半田面１０７はその全体が裏側構成体１１２と対向している。上記構成の主制御装置９２は、図５（ｂ）に示すように、裏側構成体１１２の裏面が取付台９１側を向くようにして取付台９１に搭載されている。
【００５６】
次に、表側構成体１１１と裏側構成体１１２との固定に係る構成について詳細に説明する。両構成体１１１，１１２の固定に係る構成としては、両構成体１１１，１１２の相互の位置ずれを特定の規制方向のみに規制する規制手段と、当該規制方向への位置ずれを防止するように両構成体１１１，１１２を相互に固定する固定手段と、を備えている。
【００５７】
先ず、規制手段について詳細に説明する。
【００５８】
図８及び図９に示すように、規制手段として、裏側構成体１１２には、フック部１１８が一体形成されている。フック部１１８は複数設けられており、これらフック部１１８は裏側周縁部１１７の対向する各長辺部（具体的には、上縁部及び下縁部）において当該長辺部の延びる方向に沿って等間隔で形成されている。この場合、フック部１１８は、上下にそれぞれ６個ずつ形成されているが、複数であればその数は任意である。各フック部１１８は、全て同一形状となるように形成されているとともに、全て同一のサイズに形成されている。各フック部１１８は表側構成体１１１に向けて起立させて設けられており、自由端側が裏側構成体１１２の一方の短辺部側に向けて延びるように途中位置で折り曲げて形成されている。
【００５９】
フック部１１８に対応させて表側構成体１１１の上下の各長辺部には、各フック部１１８に１対１で対応させてスリット１１９が形成されている。スリット１１９は、基板ボックス１０２の厚み方向、すなわち表側構成体１１１と裏側構成体１１２との並設方向に貫通しており、対応するフック部１１８を内部に挿入可能となっている。そして、スリット１１９の内部にはフック部１１８の先端を係止する図示しない受け部が形成されている。
【００６０】
上記のようにフック部１１８及び受け部を有する規制手段が設けられていることにより、表側構成体１１１と裏側構成体１１２とを一体化させる際には、各スリット１１９内に対応するフック部１１８が挿入されるように表側構成体１１１と裏側構成体１１２とを組み合わせる。この段階では、表側構成体１１１と裏側構成体１１２とは、基板ボックス１０２の長さ方向（すなわち、長辺部が延びる方向）に相互にずれている。その後、フック部１１８が対応する受け部に係止されるように、表側構成体１１１及び裏側構成体１１２のうちの一方を他方に対して上記長さ方向にスライド移動させる。これにより、各フック部１１８が対応する受け部に係止され、表側構成体１１１と裏側構成体１１２とを基板ボックス１０２の厚み方向や幅方向（すなわち、短辺部が延びる方向）に離間させようとしてもそれが規制される。
【００６１】
なお、規制手段の構成は上記のものに限定されることはなく、表側周縁部１１３及び裏側周縁部１１７のうちの一方にガイド用突条部を形成するとともに、他方にガイド用突条部が嵌り込み可能であり嵌り込んだガイド用突条部を所定の方向のみにスライド移動可能とするガイド用溝部を形成する構成としてもよい。
【００６２】
次に、固定手段について説明する。
【００６３】
基板ボックス１０２には、図７（ａ）に示すように、固定手段として、第１の固定領域１２０と第２の固定領域１３０とが少なくとも設けられている。第１の固定領域１２０及び第２の固定領域１３０のうちの一方は基板ボックス１０２における一の辺部に対して設けられているとともに、他方は前記一の辺部と対向する辺部に対して設けられている。詳細には、第１の固定領域１２０は規制手段により規制された方向の両端のうち一方の端部側に設けられているとともに、第２の固定領域１３０は規制手段により規制された方向の両端のうち他方の端部側に設けられている。より詳細には、第１の固定領域１２０は一方の短辺部に設けられているとともに、第２の固定領域１３０は他方の短辺部に設けられている。
【００６４】
第１の固定領域１２０は、図８及び図９に示すように、表側構成体１１１に一体形成された表側固定領域１２１と、裏側構成体１１２に一体形成された裏側固定領域１２２と、を備えている。表側固定領域１２１及び裏側固定領域１２２は、各構成体１１１，１１２の一方の短辺部において当該短辺部の他の部位よりも側方に延出させて形成されており、基板ボックス１０２の厚み方向に重なり合っている。
【００６５】
表側固定領域１２１には、短辺部に沿って複数（具体的には、３個）の表側結合部１２３が並設されているとともに、裏側固定領域１２２には、それら表側結合部１２３に１対１で対応させて裏側結合部１２４が並設されている。これら各組み合わせの表側結合部１２３及び裏側結合部１２４はそれぞれ同一の構成を有しているため、以下、一の組み合わせについてその構成を説明する。
【００６６】
表側結合部１２３には基板ボックス１０２の厚み方向に貫通する貫通孔が形成されており、裏側結合部１２４には表側結合部１２３に向けて開放された有底のネジ孔が形成されている。貫通孔とネジ孔とは連通されており、これら連通された孔部に対して貫通孔側から破断ネジ１２５が螺着されている。
【００６７】
ここで、破断ネジ１２５とは、ドライバなどの工具の先端を差込可能な頭部１２６と、ネジ溝が形成された側との連結部分の強度が低く設定されたものであり、それ以上締めることができない位置において頭部１２６に対して上記工具によりさらに所定の力を加えることにより、上記連結部分が切断され、頭部１２６が分離されるものである。つまり、破断ネジ１２５は、螺着後において、上記工具を用いて緩める方向へ回転させることを不可とするものである。
【００６８】
なお、螺着後において表側結合部１２３と裏側結合部１２４との結合を緩めることができないようにすることができるのであれば、両結合部１２３，１２４を結合する固定具（結合具）は破断ネジ１２５に限定されることはなく周知のワンウェイネジであってもよい。また、ネジにより結合される構成に限定されることはなく、裏側結合部１２４に係止部が設けられているとともに、表側結合部１２３側から挿入された係止爪が上記係止部に係止され、表側結合部１２３や裏側結合部１２４の破壊を要することなく上記係止状態を解除できない構成としてもよい。
【００６９】
表側結合部１２３及び裏側結合部１２４の組み合わせは上記のとおり複数組設けられているが、それら全ての組み合わせに対して破断ネジ１２５による結合が行われている。そして、それら破断ネジ１２５は全て頭部１２６が取り外されている。このように表側結合部１２３及び裏側結合部１２４が結合されていることにより、表側構成体１１１と裏側構成体１１２とが分離不可な状態で相互に固定されている。
【００７０】
図９に示すように、各裏側結合部１２４はベース側連結部１２７を介して裏側周縁部１１７に連結されているとともに、相互連結部１２８を介して隣り合う裏側結合部１２４同士が連結されている。これらベース側連結部１２７及び相互連結部１２８の周囲には、ニッパやカッタなどといった切断用工具の先端を差込可能な空間が確保されている。これにより、各連結部１２７，１２８の切断が可能となっている。特に、各連結部１２７，１２８はその強度が、表側結合部１２３及び裏側結合部１２４を破壊するとともに破断ネジ１２５を介した結合を解除する場合よりも切断し易いように設定されている。具体的には、周囲の領域に比べ肉薄に形成されている。これにより、各連結部１２７，１２８の切断を行い易くなっている。
【００７１】
ベース側連結部１２７を切断することにより、裏側結合部１２４を裏側周縁部１１７から分離されることとなる。この場合に、表側結合部１２３及び裏側結合部１２４が設けられた位置は、基板ボックス１０２の一の辺部であって、規制手段により規制された状態を解除すべく表側構成体１１１又は裏側構成体１１２の一方を他方に対してスライド移動させた場合に、表側結合部１２３と裏側結合部１２４との結合痕跡片が、主制御基板１０１が収容された本体と当接しない位置となっている。これにより、表側結合部１２３及び裏側結合部１２４の結合を通じて表側構成体１１１と裏側構成体１１２とが固定された状態を解除することができる。
【００７２】
また、仮に、表側構成体１１１と裏側構成体１１２との相対位置が元に戻されたとしても、連結部１２７，１２８の切断箇所が残ることとなる。したがって、遊技ホールの管理者等にとっては、連結部１２７，１２８が切断されているか否かを確認することで、表側結合部１２３及び裏側結合部１２４の結合を通じた表側構成体１１１と裏側構成体１１２との固定が解除されているか否かを目視確認することができる。
【００７３】
ちなみに、表側結合部１２３及び裏側結合部１２４の全ての組み合わせに対して破断ネジ１２５による結合を行うのではなく、一部の組み合わせに対して破断ネジ１２５による結合を行う構成においては、遊技ホールの管理者等が主制御基板１０１の検査やメンテナンスに際して当該結合に伴う固定を解除した後には、未使用の組み合わせに対して破断ネジ１２５を螺着することで再度固定を行うことが可能となる。このように一部の組み合わせが破断ネジ１２５により結合されている状況において当該結合に係る固定を解除する上では、ベース側連結部１２７だけでなく相互連結部１２８の切断も要する。
【００７４】
なお、上記各連結部１２７，１２８が裏側結合部１２４に対してではなく、表側結合部１２３に対して設けられていてもよく、両結合部１２３，１２４に対して設けられていてもよい。また、上記各連結部１２７，１２８を不具備とし、上記結合に係る固定を解除する上では表側結合部１２３自体や裏側結合部１２４自体の破壊を要する構成としてもよい。この場合、遊技ホールの管理者等が正規に基板ボックス１０２を開放させる場合の作業性が低下するものの、依然として、基板ボックス１０２を固定する機能及び不正開放が行われた場合にはその痕跡を視的効果として残す機能は果たされる。
【００７５】
次に、第２の固定領域１３０について説明する。
【００７６】
表側構成体１１１及び裏側構成体１１２において、表側固定領域１２１及び裏側固定領域１２２が設けられた側とは反対側の短辺部には、図７（ａ）に示すように、第２の固定領域１３０として、表側固定ベース部１３１及び裏側固定ベース部１３２が設けられている。表側固定ベース部１３１及び裏側固定ベース部１３２は、各構成体１１１，１１２の一方の短辺部において当該短辺部の一部よりも側方に延出させて形成されている。
【００７７】
表側固定ベース部１３１の側方への張り出し位置と裏側固定ベース部１３２の張り出し位置とが同一又は略同一となっており、さらに短辺部に沿った方向の寸法も両ベース部１３１，１３２において同一又は略同一となっている。表側構成体１１１及び裏側構成体１１２が組み合わされた状態において表側固定ベース部１３１と裏側固定ベース部１３２とは基板ボックス１０２の厚み方向に並設され、表側固定ベース部１３１において裏側固定ベース部１３２を向く面側の周縁部の全体と、裏側固定ベース部１３２において表側固定ベース部１３１を向く面側の周縁部の全体とが相互に当接している。
【００７８】
表側固定ベース部１３１の表面及び裏側固定ベース部１３２の表面により、封印シール１６０の貼付領域が形成されている。なお、封印シール１６０の詳細については後に説明する。貼付領域は、表側固定ベース部１３１により構成される表面領域１３３と、裏側固定ベース部１３２により構成される裏面領域１３４と、表側固定ベース部１３１及び裏側固定ベース部１３２の両方により構成され、それぞれコーナー部を介して表面領域１３３及び裏面領域１３４の両方に連続しこれら両領域１３３，１３４の間に介在する側面領域１３５と、を備えている。
【００７９】
これら表面領域１３３、裏面領域１３４及び側面領域１３５は平面状に形成されている。また、表面領域１３３において側面領域１３５との境界側の端部とその反対側の端部との間の寸法は、裏面領域１３４において側面領域１３５との境界側の端部とその反対側の端部との間の寸法よりも大きく設定されている。
【００８０】
側面領域１３５は上記のとおり表側固定ベース部１３１及び裏側固定ベース部１３２の両方により構成されているため、当該側面領域１３５には両ベース部１３１，１３２の境界１３６が存在している。当該境界１３６は一連の線状に形成されている。ここで、当該境界１３６は非直線状となっている。かかる構成について以下に詳細に説明する。
【００８１】
図９に示すように、表側固定ベース部１３１において裏側固定ベース部１３２と対向する側は、基板ボックス１０２の幅方向の途中位置にて両端側に比べ表面領域１３３側に凹んだ段差状に形成されている。つまり、表側固定ベース部１３１において裏側固定ベース部１３２と対向する側には、一対の段差壁部１４１により基板ボックス１０２の幅方向に挟まれた凹み領域１４２が形成されている。
【００８２】
表側固定ベース部１３１に凹み領域１４２が形成されていることに伴って、裏側固定ベース部１３２において側面領域１３５を構成する部位には、基板ボックス１０２の幅方向の途中位置に当該幅方向の両端側の側面基部１４３よりも表側固定ベース部１３１側に突出した突出壁部１４４が一体形成されている。突出壁部１４４は凹み領域１４２の全体を埋めるように形成されているのではなく、凹み領域１４２において側面領域１３５側の端部を含む箇所を埋めるように形成されている。
【００８３】
突出壁部１４４は、裏側固定ベース部１３２において側面基部１４３から連続するとともに当該側面基部１４３から直線状に起立した一対の起立エッジと、これら一対の起立エッジを直線状に結ぶ連結エッジとにより周囲が規定された角形状、より詳細には四角形状となっている。起立エッジの長さ寸法は、表側固定ベース部１３１における段差壁部１４１の高さ寸法と同一又は略同一となっており、連結エッジの長さ寸法は、凹み領域１４２における段差壁部１４１間の距離と同一又はそれよりも若干短い程度となっている。
【００８４】
表側構成体１１１と裏側構成体１１２とが組み合わされた状態において凹み領域１４２に対して突出壁部１４４が入り込んでおり、各起立エッジは対応する段差壁部１４１と近接した位置にて対向しているとともに、連結エッジは凹み領域１４２の底部と近接した位置にて対向している。したがって、突出壁部１４４により、凹み領域１４２は基板ボックス１０２外側の端部にて閉塞されており、さらに凹み領域１４２と突出壁部１４４とが形成された構成において側面領域１３５は両ベース部１３１，１３２の境界を除いて面一又は略面一となっている。
【００８５】
凹み領域１４２及び突出壁部１４４が形成されていることにより、側面領域１３５における表側固定ベース部１３１と裏側固定ベース部１３２との境界１３６は、その途中位置にコーナー部を有する非一直線状となっている。詳細には、図７（ｂ）に示すように、側面領域１３５外の境界から連続する第１ライン１４５と、第１ライン１４５に対して連続し且つ当該第１ライン１４５に対して交差する方向、より具体的には直交又は略直交する方向に延びる第２ライン１４６と、第２ライン１４６に対して連続し且つ当該第２ライン１４６に対して交差する方向、より具体的には第１ライン１４５に対して平行又は略平行となる方向に延びる第３ライン１４７と、第３ライン１４７に対して連続し且つ当該第３ライン１４７に対して交差する方向、より具体的には第２ライン１４６に対して平行又は略平行となる方向に延びる第４ライン１４８と、第４ライン１４８に対して連続し且つ当該第４ライン１４８に対して交差する方向、より具体的には第１ライン１４５に対して平行又は略平行となる方向に延びる第５ライン１４９と、を有しており、第５ライン１４９は側面領域１３５外の境界に連続している。
【００８６】
つまり、側面領域１３５における境界１３６は、その両端側に所定の間隔を隔てて同一直線上に配置された第１ライン１４５及び第５ライン１４９を有しているとともに、第１ライン１４５及び第５ライン１４９のそれぞれに対してコーナー部を介して連続し相互に対向する一対の第２ライン１４６及び第４ライン１４８を有しており、さらに第２ライン１４６及び第４ライン１４８を連結する第３ライン１４７を有している。なお、裏側構成体１１２には突出壁部１４４の面方向の強度を強化するために突出壁部１４４よりも内側において当該突出壁部１４４に連続するリブが一体形成されている。
【００８７】
表側固定ベース部１３１及び裏側固定ベース部１３２には、第１ライン１４５を形成する領域及び第５ライン１４９を形成する領域のそれぞれに、結合具により両ベース部１３１，１３２の結合を行うための結合部が設けられている。
【００８８】
具体的には、図８及び図９に示すように、表側固定ベース部１３１において凹み領域１４２の外側にはその厚み方向に貫通する一対の貫通孔１５１が形成されており、これら貫通孔１５１に１対１で対応させて裏側固定ベース部１３２にはネジ孔１５２が形成されている。各貫通孔１５１とそれに対応するネジ孔１５２とは基板ボックス１０２の厚み方向に連通されており、それら連通された各組み合わせの貫通孔１５１及びネジ孔１５２に対して表側固定ベース部１３１側から破断ネジ１５３が螺着されている。そして、各破断ネジ１５３は螺着後において頭部１５４が除去されている。これにより、表側固定ベース部１３１及び裏側固定ベース部１３２は解除困難な状態で結合されており、当該結合を解除する上では、表側固定ベース部１３１、裏側固定ベース部１３２及び破断ネジ１５３のいずれかの破壊が行われ、その痕跡が残ることとなる。したがって、遊技ホールの管理者等にとってはその痕跡を目視確認することにより、基板ボックス１０２の不正開放が行われたか否かを確認することができる。
【００８９】
なお、螺着後において表側固定ベース部１３１と裏側固定ベース部１３２との結合を緩めることができないようにすることができるのであれば、両ベース部１３１，１３２を結合する固定具（結合具）は破断ネジ１５３に限定されることはなく周知のワンウェイネジであってもよい。また、ネジにより結合される構成に限定されることはなく、裏側固定ベース部１３２に係止部が設けられているとともに、表側固定ベース部１３１側から挿入された係止爪が上記係止部に係止され、表側固定ベース部１３１や裏側固定ベース部１３２の破壊を要することなく上記係止状態を解除できない構成としてもよい。
【００９０】
表側固定ベース部１３１及び裏側固定ベース部１３２には、上記ネジによる結合を通じた固定以外にも、表側構成体１１１と裏側構成体１１２との分離を阻止する構造が設けられている。かかる阻止構造について、図１０及び図１１を参照しながら説明する。図１０は図７（ｂ）のＡ―Ａ線断面図、図１１（ａ），（ｂ）は阻止構造による分離阻止の作用を説明するための説明図である。
【００９１】
図１０に示すように、表側固定ベース部１３１において凹み領域１４２の底部には裏側固定ベース部１３２に向けて突出した引っ掛け部１５５が一体形成されている。引っ掛け部１５５は、図９に示すように、凹み領域１４２において一対の段差壁部１４１間の方向に所定の間隔を隔てて複数（具体的には、２個）設けられている。なお、引っ掛け部１５５は複数であることに限定されることはなく、１個のみ設けられた構成としてもよい。
【００９２】
各引っ掛け部１５５は突出壁部１４４に向けて除々に突出量が増加するように形成されており、各引っ掛け部１５５はその表面に、突出壁部１４４に向けて裏側固定ベース部１３２側へと傾斜したテーパ面１５６と、突出壁部１４４の内壁面と対向する端面１５７と、を備えている。なお、端面１５７は突出壁部１４４の内壁面から若干離間されているが、両者が当接している構成としてもよい。
【００９３】
既に説明したように表側構成体１１１及び裏側構成体１１２には組み合わせに際しての方向を規制する規制手段が設けられており、表側構成体１１１と裏側構成体１１２とを組み合わせる際には、図１１（ａ），（ｂ）に示すように、一方を他方に対して、規制手段により規制された方向であって組み合わせ方向にスライド移動させる必要がある。この場合に、各引っ掛け部１５５には既に説明したようにテーパ面１５６が形成されており、さらに表側固定ベース部１３１及び裏側固定ベース部１３２が合成樹脂製であり弾性変形可能となっているため、各引っ掛け部１５５と干渉しながらも表側構成体１１１と裏側構成体１１２とを組み合わせることはできる。
【００９４】
一方、各引っ掛け部１５５には、突出壁部１４４の内壁面と対向する端面１５７が形成されているため、表側構成体１１１と裏側構成体１１２とが組み合わされている状態において、一方を他方に対して、規制手段により規制された方向であって分離方向にスライド移動させようとしても、端面１５７と突出壁部１４４とが当接し、それ以上のスライド移動が阻止される。これにより、表側構成体１１１及び裏側構成体１１２は分離困難な状態で固定されており、当該固定を解除する上では、表側固定ベース部１３１、裏側固定ベース部１３２及び引っ掛け部１５５のいずれかの破壊が行われ、その痕跡が残ることとなる。したがって、遊技ホールの管理者等にとってはその痕跡を確認することにより、基板ボックス１０２の不正開放が行われたか否かを確認することができる。
【００９５】
ここで、引っ掛け部１５５を直接破壊する上では、表側固定ベース部１３１と裏側固定ベース部１３２との境界１３６から両ベース部１３１，１３２の間の空間に差し込んだ切断工具により引っ掛け部１５５を切断する方法が考えられる。この場合に、引っ掛け部１５５は上記のとおり凹み領域１４２に対して設けられており一対の段差壁部１４１により挟まれているため、境界１３６において切断工具を挿入する位置は第３ライン１４７に規制される。
【００９６】
次に、貼付領域に対して貼り付けられる封印シール１６０について説明する。図１２（ａ）は封印シール１６０の正面図、図１２（ｂ）は封印シール１６０の裏面図、図１３は封印シール１６０の断面図である。
【００９７】
封印シール１６０は、図１２及び図１３に示すように、略矩形状のベースシート１６１を備えており、ベースシート１６１の裏面には粘着剤が塗布され粘着層１６２が形成されている。粘着層１６２には電子タグ（又はＲＦＩＤタグ）としてのＩＣタグ１６３が埋め込まれている。なお、図１３においては、粘着層１６２に剥離シート１６４が積層されているが、当該剥離シート１６４は封印シール１６０を基板ボックス１０２に貼り付ける際に剥がされる。
【００９８】
ベースシート１６１はポリエステル系フィルムなどの可撓性樹脂フィルムにより形成されており適度な脆性を有し、さらに溶剤や熱に対して反応性を有する。具体的には、粘着層１６２を構成する粘着剤に対して溶解性を備えたトルエンなどがベースシート１６１に塗布されると、ベースシート１６１は変色する。また、粘着層１６２の粘着力が低下する温度（例えば、５０℃）以上の熱が加えられた場合にもベースシート１６１は変色する。これにより、基板ボックス１０２の貼付領域から封印シール１６０を不正に剥がそうとして溶剤がかけられたり、熱が加えられたりした場合、ベースシート１６１が変色することで当該不正行為の痕跡を残すことができる。
【００９９】
ベースシート１６１の表面には、図１２（ａ）に示すように、インク塗布部１６５、識別番号部１６６及び機種情報部１６７が設けられている。インク塗布部１６５には、紫外線などといった特定の波長の光が照射されることにより模様が表れる特殊インクが塗布されている。識別番号部１６６には、複数の数字が記載されており、当該識別番号部１６６に記載される数字はパチンコ機毎に異なっている。機種情報部１６７には、当該遊技機の機種名や当該遊技機の製造メーカー名などが記載されている。
【０１００】
粘着層１６２の粘着剤は、従来の封印シールと同様に、一旦貼り付けされた後に剥がされるとベースシート１６１から剥がれる程度の粘着力を有している。したがって、封印シール１６０が剥がされた場合には再度貼り付けすることが不可能なものであり、さらには粘着層１６２の一部が貼付領域側に残ることとなる。よって、封印シール１６０を不正に剥がした痕跡を残すことができる。
【０１０１】
ＩＣタグ１６３は、ＩＣチップ１７１及びアンテナ部材１７２を備えている。ＩＣチップ１７１は集積回路として形成されるものであり、制御部及びメモリ領域を有する。メモリ領域は、データ書き換え不可な不揮発性メモリ（ＲＯＭ）により構成されており、その記憶容量は例えば１２８ｂｉｔとなっている。メモリ領域には、識別情報としてのＩＤ情報が格納されている。具体的には、製造メーカ名（又は複数のメーカごとに付されたメーカ固有番号）、遊技機固有のＩＤ番号が格納されている。ＩＣチップ１７１のメモリ領域はデータ書き換え不可であるため、ＩＤ情報が不正に改ざんされる等の不都合が抑制できるようになっている。
【０１０２】
アンテナ部材１７２は平面矩形状であって比較的薄い（例えば、１０〜２００μｍ）長尺状となっており、アルミや銅等の金属の導体箔として形成されている。アンテナ部材１７２の長手方向（又は長さ方向）のほぼ中央には、ＩＣチップ１７１が配置されている。かかるＩＣチップ１７１の配置は、例えば異方導電性フィルムや導電ペーストなどの接着剤によって、ＩＣチップ１７１の図示しない電極をアンテナ部材１７２に固定することで行われている。
【０１０３】
アンテナ部材１７２においてＩＣチップ１７１が配置された位置には、アンテナ部材１７２の表面から裏面に貫通させてスリット１７３が形成されている。スリット１７３は、ＩＣチップ１７１からアンテナ部材１７２の長手方向に延びる第１スリット部１７４と、ＩＣチップ１７１から上記長手方向に対して交差する方向、具体的には上記長手方向に直交する方向に延び、アンテナ部材１７２の端部に達する第２スリット部１７５とからなり、全体としてＬ字状に形成されている。スリット１７３は、ＩＣチップ１７１の内部に形成されている容量素子と結合してＩＣチップ１７１とアンテナ部材１７２との間のインピーダンスを整合させるマッチング回路を構成するインダクタとして機能する。この点、スリット１７３を整合用切り込みと称することができ、さらには当該スリット１７３が正常に機能しないとＩＣタグ１６３において正常な通信が不可となる構成に鑑みると通信用整合部又は不可状態発生部と称することができる。
【０１０４】
また、アンテナ部材１７２は共振調整回路としての機能を有しており、アンテナ部材１７２の長さ寸法は通信特性に重要な影響を与えるものである。最適なアンテナ部材１７２の長さ寸法は動作条件により変わるが、アンテナ部材１７２の周囲が空気である場合には、動作周波数のほぼ１／２波長が最適値となり、周囲が誘電体で覆われている場合には誘電体による波長短縮効果があるので、最適長さ寸法はこれより短い大きさとなることが知られている。本パチンコ機１０におけるアンテナ部材１７２の長さ寸法は、動作周波数が一定周波数となるように、約５０ｍｍの大きさに設定されている。
【０１０５】
ＩＣチップ１７１のＩＤ情報は、制御部によって呼び出されてアンテナ部材１７２から電波として発信することができるように構成されており、アンテナ部材１７２から発信された電波を、リーダ装置で受信してＩＤ情報を読み取ることができるようになっている。
【０１０６】
ＩＣタグ１６３（アンテナ部材１７２）は、図１２（ｂ）に示すように、ベースシート１６１においてその一隅部側からその対角方向の隅部側に亘って斜めに配置されている。この場合、長尺状のアンテナ部材１７２はその長手方向がベースシート１６１のすべての辺方向と交差することとなる。
【０１０７】
封印シール１６０にはアンテナ用切り込み１７６が形成されている。アンテナ用切り込み１７６はベースシート１６１の表面から粘着層１６２の表面まで貫通している。なお、粘着層１６２の表面とは、封印シール１６０の裏面側において露出している面であり、この点、アンテナ用切り込み１７６は封印シール１６０の表面から裏面まで貫通しているとも言える。
【０１０８】
アンテナ用切り込み１７６は、アンテナ部材１７２の長手方向に対して直交する方向又は略直交する方向に延びる直線状である。ちなみに、アンテナ部材１７２の長手方向に対して直交する方向又は略直交する方向は、ベースシート１６１の全ての辺方向と交差する方向となる。
【０１０９】
アンテナ用切り込み１７６は、アンテナ部材１７２の短手方向において当該アンテナ部材１７２を間に挟むようにして形成されているとともに、各長辺部側において長手方向に沿って等間隔となるように複数形成されている。各アンテナ用切り込み１７６は、ベースシート１６１においてアンテナ部材１７２の配置されていない領域側を一端として、他端側がアンテナ部材１７２の配置されている領域に若干かかる構成となっている。この場合に、一方の長辺部側のアンテナ用切り込み１７６は他方の長辺部側のアンテナ用切り込み１７６に対して短手方向に並ばないように形成されている。
【０１１０】
複数のアンテナ用切り込み１７６の一部は、アンテナ部材１７２においてスリット１７３が形成された領域に対しても隣接させて設けられている。この場合、一方の長辺部側における一部のアンテナ用切り込み１７６が、アンテナ部材１７２においてスリット１７３が形成された領域に対して隣接させて設けられているとともに、他方の長辺部側における一部のアンテナ用切り込み１７６も、アンテナ部材１７２においてスリット１７３が形成された領域に対して隣接させて設けられている。つまり、アンテナ用切り込み１７６は、少なくともアンテナ部材１７２においてスリット１７３が形成された領域を間に挟むようにして形成されている。
【０１１１】
封印シール１６０の４隅には、ベースシート１６１の表面側から粘着層１６２の表面まで貫通する隅側切り込み１７７がそれぞれ形成されている。隅側切り込み１７７は、封印シール１６０の隅角に沿うようにしてＬ字状に形成されている。また、封印シール１６０の外縁には、外縁端部から内側に向けて多数の外縁切り込み１７８が形成されている。これら外縁切り込み１７８は、内側から外側に向けて開くようにして鋭角のＶ字状となっており、さらに封印シール１６０の外周に沿って等間隔で形成されている。
【０１１２】
上記のようにアンテナ用切り込み１７６、隅側切り込み１７７及び外縁切り込み１７８が形成されていることにより、封印シール１６０を貼付領域から剥がそうとすると、ベースシート１６１に破れが生じたり、アンテナ部材１７２が切断されたりする。かかる作用については、後に説明する。
【０１１３】
次に、封印シール１６０の貼付位置に係る構成について説明する。図１４は主制御装置９２において封印シール１６０が貼り付けられた領域及びその周辺を拡大して示す拡大斜視図、図１５は貼付領域における封印シール１６０の位置関係を説明するための説明図である。なお、図１５においては、説明の便宜上、隅側切り込み１７７及び外縁切り込み１７８を省略している。
【０１１４】
図１４に示すように、封印シール１６０は貼付領域に貼り付けられている。この場合、貼付領域において表面領域１３３、側面領域１３５及び裏面領域１３４に亘って封印シール１６０が配置されるように当該封印シール１６０はコ字状に曲げて貼り付けられている。封印シール１６０により、表面領域１３３の略全体、側面領域１３５の略全体及び裏面領域１３４の略全体が覆われている。したがって、表面領域１３３に形成されている各貫通孔１５１の開口部及び裏面領域１３４に形成されている各ネジ孔１５２の開口部が封印シール１６０により覆われているとともに、側面領域１３５における表側固定ベース部１３１と裏側固定ベース部１３２との境界１３６もその略全体が封印シール１６０により覆われている。
【０１１５】
なお、表面領域１３３における側面領域１３５との境界側の端部とその反対側の端部との間の距離は、裏面領域１３４における側面領域１３５との境界側の端部とその反対側の端部との間の距離よりも長く設定されている。したがって、裏面領域１３４に比べ表面領域１３３の面積が広く設定されており、それに伴って封印シール１６０において裏面領域１３４を覆う領域よりも表面領域１３３を覆う領域の方が面積は広い。但し、これに限定されることはなく、表面領域１３３に比べ裏面領域１３４の面積を広くしてもよく、両領域１３３，１３４の面積を同程度としてもよい。
【０１１６】
封印シール１６０においてアンテナ部材１７２は、既に説明したとおり、ベースシート１６１においてその一隅部側からその対角方向の隅部側に亘って配置されているため、封印シール１６０と同様に、アンテナ部材１７２も表面領域１３３、側面領域１３５及び裏面領域１３４に亘ってコ字状に曲げて配置されている。
【０１１７】
アンテナ部材１７２と破断ネジ１５３との位置関係について説明する。
【０１１８】
アンテナ部材１７２における長手方向の一方の端部は、図１５に示すように、表面領域１３３における一の貫通孔１５１の開口部を跨いでいる。詳細には、アンテナ部材１７２の短手方向の寸法は貫通孔１５１の開口部の孔径よりも小さくなっており、さらにアンテナ部材１７２が貫通孔１５１の開口部を挟んで当該開口部の周縁部を架渡すように配置されている。このようにアンテナ部材１７２が配置されていることにより、アンテナ部材１７２の端部は、破断ネジ１５３におけるネジ溝側とは反対側の端部と対峙している。但し、破断ネジ１５３におけるネジ溝側とは反対側の端部が貫通孔１５１における軸線方向の途中位置に配置されているため、破断ネジ１５３とアンテナ部材１７２とは接触していない。
【０１１９】
アンテナ部材１７２において上記開口部を跨ぐ側の端部とは反対側の端部は、裏面領域１３４における一のネジ孔１５２の開口部を跨いでいる。この場合に、破断ネジ１５３におけるネジ溝側の端部がネジ孔１５２における軸線方向の途中位置に配置されているため、破断ネジ１５３とアンテナ部材１７２とは接触していない。
【０１２０】
例えば、アンテナ部材１７２が破断ネジ１５３に接触すると、設定された動作周波数（例えば、２．４５ＧＨｚ）が変化してしまい、アンテナ部材１７２を通じた通信が良好に行えなくなるおそれがある。そうすると、ＩＣチップ１７１に記憶されたＩＤ情報をリーダ装置により読み取ろうとしてもそれが行えないおそれがあるが、上記のようにアンテナ部材１７２と破断ネジ１５３とが接触していないことにより、上記不都合の発生が抑えられている。
【０１２１】
次に、アンテナ部材１７２と境界１３６との位置関係について説明する。
【０１２２】
アンテナ部材１７２は、側面領域１３５を挟み表面領域１３３から裏面領域１３４に亘って配置されているため、側面領域１３５における表側固定ベース部１３１と裏側固定ベース部１３２との境界１３６を跨いでいる。境界１３６は、既に説明したとおり非一直線状に形成されており、第１ライン１４５〜第５ライン１４９が順次連続することで形成されている。アンテナ部材１７２は、上記第１ライン１４５〜第５ライン１４９のうち、第３ライン１４７を跨いでいる。
【０１２３】
つまり、境界１３６は、封印シール１６０において相互に対向する一対の第１周縁部（第１辺部）と第２周縁部（第２辺部）との間に亘って配置されているとともに、第１周縁部及び第２周縁部とは異なる周縁部であって相互に対向する一対の第３周縁部（第３辺部）及び第４周縁部（第４辺部）のうち少なくとも一方に向けて延びるラインが生じるように曲がり部が形成されている。
【０１２４】
アンテナ部材１７２においてＩＣチップ１７１及びスリット１７３が形成された領域は、貼付領域において第２ライン１４６と第４ライン１４８とにより挟まれた領域に対して配置されている。また、ＩＣチップ１７１は、第１ライン１４５及び第５ライン１４９よりも表面領域１３３側であって第３ライン１４７よりも裏面領域１３４側に配置されているのに対して、スリット１７３は、第１スリット部１７４のＩＣチップ１７１側とは反対側の端部が第３ライン１４７を跨いでいる。
【０１２５】
アンテナ部材１７２が第３ライン１４７を跨いでいることにより、ベースシート１６１においてアンテナ用切り込み１７６が形成されている領域は、第３ライン１４７よりも表面領域１３３側に配置されているとともに、第３ライン１４７よりも裏面領域１３４側に配置されている。また、第１スリット部１７４が、第３ライン１４７を跨いでいることにより、第１スリット部１７４に向けたアンテナ用切り込み１７６は、第３ライン１４７よりも表面領域１３３側に配置されているとともに、第３ライン１４７よりも裏面領域１３４側に配置されている。
【０１２６】
ここで、貼付領域は、囲み部１８０によって囲まれている。
【０１２７】
囲み部１８０について詳細には、図８に示すように、表側構成体１１１の表側周縁部１１３において表側固定ベース部１３１に連続する部分と、表側固定ベース部１３１の表面領域１３３との間には表側段差部１８１が形成されている。また、図９に示すように、裏側構成体１１２の裏側周縁部１１７において裏側固定ベース部１３２に連続する部分と、裏側固定ベース部１３２の裏面領域１３４との間には裏側段差部１８２が形成されている。さらに、表側固定ベース部１３１には表面領域１３３及び側面領域１３５を間に挟むようにして対向する一対の表側突条部１８３が形成されているとともに、裏側固定ベース部１３２には側面領域１３５及び裏面領域１３４を間に挟むようにして対向する一対の裏側突条部１８４が形成されており、表側突条部１８３と裏側突条部１８４とはそれぞれ同じ側に配置されている同士が境界１３６を挟んで連続している。
【０１２８】
表側段差部１８１、裏側段差部１８２、表側突条部１８３及び裏側突条部１８４により囲み部１８０が形成されており、貼付領域は囲み部１８０によって囲まれている。そして、貼付領域に貼り付けられている封印シール１６０の周縁はその全体が囲み部１８０に近接している。これにより、封印シール１６０を剥がそうとしても、その剥がし行為が非常に困難なものとなっている。
【０１２９】
封印シール１６０の周縁の全体が囲み部１８０に近接していることにより、封印シール１６０の貼り付け作業に際しては、封印シール１６０が囲み部１８０によって囲まれた領域内からはみ出ないように貼り付けることで、アンテナ部材１７２と貫通孔１５１との位置関係、アンテナ部材１７２とネジ孔１５２との位置関係及びアンテナ部材１７２と境界１３６との位置関係は、自ずと上記のような関係となる。
【０１３０】
また、図１５に示すように、囲み部１８０によって囲まれる領域は、封印シール１６０の面積よりも広くなっている。これにより、封印シール１６０の貼り付け作業に際しては、貼り付け位置に所定のゆとりが生まれ、貼り付け作業の作業性が向上されている。この場合に、その貼り付け位置のゆとりは、アンテナ部材１７２と貫通孔１５１との上記位置関係、アンテナ部材１７２とネジ孔１５２との上記位置関係及びアンテナ部材１７２と境界１３６との上記位置関係が、自ずと維持される範囲内で設定されている。
【０１３１】
次に、上記のように封印シール１６０が貼り付けられていることによる作用効果について説明する。
【０１３２】
基板ボックス１０２を不正に開放する場合、少なくとも表側固定ベース部１３１及び裏側固定ベース部１３２に設けられた固定手段による固定を解除する必要がある。かかる固定を解除する方法としては、封印シール１６０を貼付領域から剥がすことなく、境界１３６に沿って封印シール１６０を切断するとともに、境界１３６を介して表側固定ベース部１３１と裏側固定ベース部１３２との間に所定の工具を挿入し、各破断ネジ１５３の切断と引っ掛け部１５５の切断とを行う第１の方法が考えられる。また、この他に、封印シール１６０を貼付領域から剥がすことで境界１３６を露出させるとともに、当該境界１３６を介して表側固定ベース部１３１と裏側固定ベース部１３２との間に所定の工具を挿入し、各破断ネジ１５３の切断と引っ掛け部１５５の切断とを行う第２の方法が考えられる。以下、第１の方法に対する作用効果及び第２の方法に対する作用効果について順次説明する。
【０１３３】
第１の方法で不正開放が行われる場合、上記のとおり、封印シール１６０は境界１３６に沿って切断されることとなる。この場合に、境界１３６が上記のとおり非一直線状に形成されていることにより、境界１３６に沿って封印シール１６０を切断する作業が煩雑なものとなる。また、ＩＣタグ１６３のアンテナ部材１７２が境界１３６を跨ぐように配置されているため、境界１３６に沿って封印シール１６０が切断された場合、アンテナ部材１７２が切断されることとなる。そうすると、アンテナ部材１７２においてＩＣチップ１７１が配置された側の部分の長さ寸法が短くなり、リーダ装置との間の通信距離が短くなる。また、切断後の長さ寸法によっては通信が不可となる。この場合、リーダ装置によりＩＤ情報を正規に読み取ろうとする管理者にとっては、通信がしづらい又は通信ができないことを確認することで、上記不正開放の事実を把握することができる。
【０１３４】
また、アンテナ部材１７２に形成されたスリット１７３が境界１３６を跨ぐように配置されているため、境界１３６に沿って封印シール１６０が切断された場合、スリット１７３が形成された箇所を含めて切断されることとなる。そうすると、インピーダンス整合が良好に行われなくなり、通信がしづらくなる又は通信が不可となる。この場合、上記管理者にとっては、リーダ装置を用いた通信がしづらい又は通信ができないことを確認することで、上記不正開放の事実を把握することができる。
【０１３５】
第２の方法で不正開放が行われる場合、上記のとおり、封印シール１６０は貼付領域から剥がされることとなる。かかる剥がし作業に際しては、封印シール１６０をその隅角から剥がす場合と、封印シール１６０の一辺に沿う方向に剥がす場合とが想定される。
【０１３６】
隅角から剥がす場合、剥がす力に伴う応力が封印シール１６０の隅側切り込み１７７や外縁切り込み１７８に集中するため、封印シール１６０の破壊が生じ易く、上記管理者にとっては、剥がした後の封印シール１６０が再貼付されている場合にはその破壊を目視確認することで上記不正開放の事実を把握することが可能となる。
【０１３７】
隅角から剥がす場合及び封印シール１６０の一辺に沿う方向に剥がす場合のいずれであっても、剥がす力に伴う応力がアンテナ用切り込み１７６の端部に集中することで、アンテナ用切り込み１７６を介してベースシート１６１が破壊され、それに伴ってアンテナ部材１７２が切断される。この場合、上記管理者にとっては、リーダ装置を用いた通信がしづらい又は通信ができないことを確認することで、上記不正開放の事実を把握することができる。
【０１３８】
特に、アンテナ部材１７２においてスリット１７３が形成された領域の一部は、境界１３６において対向する一対の第２ライン１４６と第４ライン１４８との間の領域に配置されている。また、アンテナ部材１７２においてスリット１７３が形成された領域の一部は、第３ライン１４７よりも裏面領域１３４側であって、第１ライン１４５及び第５ライン１４９よりも表面領域１３３側に配置されている。したがって、封印シール１６０を任意の方向であって同一方向に剥がすことで境界１３６の全てを露出させるためには、封印シール１６０におけるスリット１７３が形成されている部分を貼付領域から剥がす必要がある。そして、アンテナ用切り込み１７６の一部はスリット１７３に隣接させて形成されているため、境界１３６を全て露出させる際に、スリット１７３が形成された箇所においてアンテナ部材１７２の切断又は破壊が生じることが期待される。そうすると、インピーダンス整合が良好に行われなくなり、通信がしづらくなる又は通信が不可となる。この場合、上記管理者にとっては、リーダ装置を用いた通信がしづらい又は通信ができないことを確認することで、上記不正開放の事実を把握することができる。
【０１３９】
また、境界１３６の形状に沿うようにして剥がす方向を順次変えながら封印シール１６０を剥がすことも考えられるが、その剥がし行為は煩雑なものとなる。また、この場合、剥がす際に封印シール１６０に生じる折れ目が複雑なものとなることで封印シール１６０に大きな負荷がかかり易くなり、それに伴って封印シール１６０に破れが生じ易くなる。さらには、アンテナ用切り込み１７６はスリット１７３を間に挟むようにして形成されており、境界１３６を基準として表面領域１３３側及び裏面領域１３４側の両方にアンテナ用切り込み１７６が配置されている。したがって、境界１３６を全て露出させる際に、スリット１７３が形成された箇所においてアンテナ部材１７２の切断又は破壊が生じることが期待される。そうすると、インピーダンス整合が良好に行われなくなり、通信がしづらくなる又は通信が不可となる。この場合、上記管理者にとっては、リーダ装置を用いた通信がしづらい又は通信ができないことを確認することで、上記不正開放の事実を把握することができる。
【０１４０】
次に、封印シール１６０のカバー部材９３について説明する。図１６（ａ），（ｂ）はそれぞれ異なる方向から見たカバー部材９３の斜視図、図１７はカバー部材９３が主制御装置９２に取り付けられている様子を説明するための説明図、図１８は主制御装置９２においてカバー部材９３が取り付けられた部分の断面図である。
【０１４１】
カバー部材９３は、ポリカーボネートなどといった無色透明の合成樹脂により、図１６（ａ），（ｂ）及び図１７に示すように、所定の内部空間１８５を有する直方体の箱状に形成されており、当該内部空間１８５を区画形成する複数（具体的には６個）の壁部はカバー部材９３の内外に電波が透過可能となっている。カバー部材９３の各壁部のうち所定の壁部１８６には、内部空間１８５をカバー部材９３の外部に開放させる開口部１８７が形成されている。以下、壁部１８６を開口用壁部１８６ともいう。
【０１４２】
開口部１８７は、図１６（ｂ）に示すように、開口用壁部１８６を挟んで対向する一対の壁部１８８，１８９のうち一方から他方に亘って形成されており、開口部１８７の周縁部の一部は各壁部１８８，１８９のそれぞれに対して内側に入り込むようにして形成されている。また、開口部１８７は、開口用壁部１８６に対して各壁部１８８，１８９側とは異なる方向にて隣り合う壁部１９０と開口用壁部１８６との境界に沿うようにして形成されている。
【０１４３】
カバー部材９３の内部空間１８５は、図１８に示すように、封印シール１６０が貼り付けられた表側固定ベース部１３１及び裏側固定ベース部１３２の全体を収容可能な大きさに形成されているとともに、開口部１８７は表側固定ベース部１３１及び裏側固定ベース部１３２の先端側からそれら両ベース部１３１，１３２を内部空間１８５内に差込可能な大きさに形成されている。なお、説明の便宜上、以下の説明では表側固定ベース部１３１及び裏側固定ベース部１３２の組み合わせを固定ベース１９１ともいう。
【０１４４】
カバー部材９３の両壁部１８８，１８９間の距離は固定ベース１９１において基板ボックス１０２の幅方向寸法と同一又はそれよりも若干大きく設定されており、これら両壁部１８８，１８９には開口部１８７の周縁部から開口用壁部１８６側の境界に向けて突出させて爪部１９２が一体形成されている。当該爪部１９２は弾性変形可能に形成されている。かかる爪部１９２に対応させて、図１７に示すように、基板ボックス１０２の表側固定ベース部１３１の側面には外方に突出させて受け部１９３が一体形成されている。カバー部材９３は、開口部１８７を介して内部空間１８５内に固定ベース１９１が差し込まれるように基板ボックス１０２に設置されており、その設置に際して爪部１９２が受け部１９３にて受けられることで基板ボックス１０２に固定されている。以下、各壁部１８８，１８９を係止用壁部１８８，１８９ともいう。
【０１４５】
基板ボックス１０２にカバー部材９３が固定されていることにより、固定ベース１９１の全体がカバー部材９３によって囲まれている。これにより、固定ベース１９１に貼り付けられた封印シール１６０がカバー部材９３により保護されることとなる。例えば、パチンコ機１０の出荷時などにはシュリンクフィルムを熱収縮させてパチンコ機１０が覆われることとなるが、主制御装置９２がパチンコ機１０の背面に露出している構成においては、シュリンクフィルムが熱収縮する際の収縮方向への負荷や熱などの封印シール１６０やＩＣタグ１６３への影響を抑えることが好ましく、上記のようにカバー部材９３が設けられていることにより上記影響を低減することができる。
【０１４６】
カバー部材９３は既に説明したように無色透明となっているため、上記のようにカバー部材９３が設けられた構成において、固定ベース１９１に貼り付けられた封印シール１６０をカバー部材９３外から目視確認することができる。なお、カバー部材９３は無色透明に限定されることはなく、カバー部材９３外から封印シール１６０を目視確認できるようにする上では、封印シール１６０を目視確認できる程度の透明性を有していればよく、有色透明であってもよい。また、カバー部材９３外から封印シール１６０を目視確認することはできなくなるが、カバー部材９３を非透明に形成してもよい。
【０１４７】
次に、カバー部材９３の各壁部と封印シール１６０との位置関係について説明する。
【０１４８】
図１８に示すように、カバー部材９３に対して固定ベース１９１はその全体が収容されており、開口用壁部１８６は表側構成体１１１において膨出部１１４の側面に対して側方から当接している。なお、膨出部１１４とカバー部材９３との間の隙間を少なくする上では上記のとおり膨出部１１４とカバー部材９３とが当接していることが好ましいが、開口用壁部１８６と膨出部１１４とが所定の間隔を開けて近接する構成としてもよい。
【０１４９】
開口用壁部１８６と開口部１８７を挟んで隣り合う壁部１９０は、既に説明したとおり開口部１８７が当該壁部１９０と開口用壁部１８６との境界に沿うようにして形成されているため、固定ベース１９１の裏面領域１３４側と重なり合っている。以下、当該壁部１９０を重なり壁部１９０ともいう。また、既に説明したとおり、係止用壁部１８８，１８９間の距離は固定ベース１９１において基板ボックス１０２の幅方向と同一又はそれよりも若干大きく設定されているため、図１７に示すように、これら係止用壁部１８８，１８９は固定ベース１９１の両側面と重なり合っている。
【０１５０】
上記構成において、図１８に示すように、開口用壁部１８６は開口部１８７の位置からその反対側の端部までの長さ寸法が、封印シール１６０において固定ベース１９１の表面領域１３３に貼り付けられた箇所と、重なり壁部１９０に対して対向する壁部１９４とが所定の距離を隔てるように設定されている。これにより、封印シール１６０において表面領域１３３に貼り付けられた箇所から当該壁部１９４の表面までの距離がＬ１となっている。以下、当該壁部１９４を第１離間壁部１９４ともいう。ちなみに、封印シール１６０と第１離間壁部１９４との間には電波を遮断する部材が設けられていない。
【０１５１】
また、重なり壁部１９０は開口部１８７の周縁部側の端部からその反対側の端部までの長さ寸法が、封印シール１６０において固定ベース１９１の側面領域１３５に貼り付けられた箇所と、開口用壁部１８６に対して対向する壁部１９５とが所定の距離を隔てるように設定されている。これにより、封印シール１６０において側面領域１３５に貼り付けられた箇所から当該壁部１９５の表面までの距離がＬ２となっている。かかる距離Ｌ２は、封印シール１６０において表面領域１３３に貼り付けられた箇所から第１離間壁部１９４までの距離Ｌ１よりも短く設定されている。以下、上記壁部１９５を第２離間壁部１９５ともいう。ちなみに、封印シール１６０と第１離間壁部１９５との間には電波を遮断する部材が設けられていない。
【０１５２】
封印シール１６０に設けられたＩＣタグ１６３の通信可能距離は、リーダ装置Ｒから所定の出力強度で呼出波が出力された場合に距離Ｌ３となるように設定されている。かかる距離Ｌ３は、封印シール１６０において表面領域１３３に貼り付けられた箇所から第１離間壁部１９４の表面までの距離Ｌ１及び封印シール１６０において側面領域１３５に貼り付けられた箇所から第２離間壁部１９５の表面までの距離Ｌ２よりも大きく設定されている。そして、ＩＣタグ１６３の通常の通信可能範囲Ｃ１には、第１離間壁部１９４の全体よりも外側が含まれているとともに、第２離間壁部１９５の全体よりも外側が含まれている。また、既に説明したとおりカバー部材９３の各壁部は電波を透過可能に形成されている。したがって、遊技ホールの管理者等はＩＣタグ１６３からＩＤ情報の読み取りを行う場合にカバー部材９３を基板ボックス１０２から取り外すことなく当該読み取り作業を行うことができる。
【０１５３】
また、第１離間壁部１９４の周縁部には、図１６（ｂ）及び図１８に示すように、開口用壁部１８６との境界の周縁部を除いて一連の突条部１９６が一体形成されており、かかる突条部１９６により区画された区画面１９７は平面状となっている。この場合、遊技ホールの管理者等はＩＣタグ１６３からＩＤ情報の読み取りを行う場合にリーダ装置Ｒの先端を上記区画面１９７に当接又は近接させることで、ＩＤ情報の読み取り作業を簡単且つ確実に行うことができる。つまり、区画面１９７はＩＤ情報の読み取り作業に際しての位置決め部として機能する。
【０１５４】
特に、主制御装置９２においてカバー部材９３が設けられた箇所は裏パックユニット１５により覆われておらず、さらに上記区画面１９７はパチンコ機１０後方を向いている。したがって、外枠１１に対して遊技機本体１２をパチンコ機１０前方に回動させることで、遊技ホールの管理者等は区画面１９７に対してリーダ装置Ｒを容易に近付けることができる。この点からも、ＩＤ情報の読み取り作業の作業性の向上が図られている。
【０１５５】
ちなみに、図５（ａ）や図１８に示すように、カバー部材９３において区画面１９７の取付台９１からの距離は膨出部１１４における膨出側の面の取付台９１からの距離と略同一となっている。つまり、区画面１９７は膨出部１１４における膨出側の面に対して略面一となっており、当該面に対して奥まった位置には配置されていない。奥まった位置に区画面１９７が配置されていると、リーダ装置Ｒの先端を当接又は近接させようとしてもそれが膨出部１１４に邪魔されて行いづらくなることが想定されるが、上記構成によればかかる不都合の発生が抑えられる。
【０１５６】
次に、基板ボックス１０２の不正開放の確認に関して上記カバー部材９３が設けられたことによる作用について説明する。
【０１５７】
既に説明したとおり、基板ボックス１０２の不正開放が行われた場合には、封印シール１６０に設けられたＩＣタグ１６３のアンテナ部材１７２において何らかの切断が発生することが期待される。そして、アンテナ部材１７２が切断された場合には、ＩＣタグ１６３が通信不可となることがある。この場合、遊技ホールの管理者等にとってはリーダ装置Ｒから呼出波を出力させてもＩＤ情報の読み取りを行えないことで、基板ボックス１０２の上記不正開放が行われたことを把握することができる。
【０１５８】
ＩＣタグ１６３が通信不可とならない場合であってもアンテナ部材１７２が切断された場合には、ＩＣタグ１６３の通信可能範囲が狭くなる。この場合に、封印シール１６０の各アンテナ用切り込み１７６は、任意のアンテナ用切り込み１７６からその延びる方向にアンテナ部材１７２が切断された場合には、図１８に示すように、ＩＣタグ１６３の通信可能距離が、封印シール１６０において表面領域１３３に貼り付けられた箇所から第１離間壁部１９４の表面までの距離Ｌ１よりも短いＬ４となるように形成されている。そうすると、ＩＣタグ１６３の通信可能範囲Ｃ２に区画面１９７が含まれなくなり、遊技ホールの管理者等がリーダ装置Ｒを区画面１９７に位置決めさせた状態でＩＤ情報の読み取りを行おうとしてもそれが不可となる。これにより、遊技ホールの管理者等は、基板ボックス１０２の不正開放が行われたことを把握することができる。
【０１５９】
また、遊技ホールの管理者等によっては区画面１９７にて位置決めさせることなく、例えば第２離間壁部１９５側からリーダ装置Ｒをカバー部材９３に近付けてＩＤ情報の読み取り作業を行うことが考えられる。この場合であっても、アンテナ部材１７２において切断が発生し、ＩＣタグ１６３の通信可能距離が上記Ｌ４となった場合には、ＩＣタグ１６３の通信可能範囲に第２離間壁部１９５が含まれなくなるため、ＩＤ情報の読み取りを行おうとしてもそれが不可となる。
【０１６０】
ちなみに、図５（ｂ）に示すように、カバー部材９３を基準として一方の係止用壁部１８８側の位置には音声ランプ制御装置６６が並設されており、さらに他方の係止用壁部１８９側の位置には払出制御装置８２が配置されている。したがって、遊技ホールの管理者等がいずれかの係止用壁部１８８，１８９側からリーダ装置Ｒを近付けようとしてもそれが規制される。よって、これら係止用壁部１８８，１８９が固定ベース１９１に重なる構成であり、アンテナ部材１７２に所定の切断が発生した状況で依然として通信可能範囲に係止用壁部１８８，１８９が含まれるとしても問題は生じない。
【０１６１】
同様に、図５（ｂ）に示すように、カバー部材９３を基準として重なり壁部１９０側の位置には取付台９１及び遊技盤３３が位置している。したがって、遊技ホールの管理者等が重なり壁部１９０側からリーダ装置Ｒを近付けようとしてもそれが規制される。よって、重なり壁部１９０が固定ベース１９１に重なる構成であり、アンテナ部材１７２に所定の切断が発生した状況において通信可能範囲に重なり壁部１９０が含まれるとしても問題は生じない。
【０１６２】
次に、パチンコ機１０の電気的構成について、図１９のブロック図に基づいて説明する。図１９では、電力の供給ラインを二重線矢印で示し、信号ラインを実線矢印で示す。
【０１６３】
主制御装置９２に設けられた主制御基板１０１には、主制御回路２０２と停電監視回路２０３とが内蔵されている。主制御回路２０２には、ＣＰＵチップ１０３が搭載されている。ＣＰＵチップ１０３には、当該ＣＰＵチップ１０３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１６４】
ＣＰＵチップ１０３には、入力ポート及び出力ポートがそれぞれ設けられている。ＣＰＵチップ１０３の入力側には、主制御基板１０１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ１０３には停電監視回路２０３を介して電力が供給される。
【０１６５】
一方、ＣＰＵチップ１０３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１６６】
停電監視回路２０３は、主制御回路２０２と電源及び発射制御基板２１５とを中継し、また電源及び発射制御基板２１５から出力される最大電圧である直流安定２４ボルトの電圧を監視する。
【０１６７】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１６８】
払出制御基板２１１のＣＰＵ２１２には、入出力ポートが設けられている。ＣＰＵ２１２の入力側には、主制御回路２０２、電源及び発射制御基板２１５、及び裏パック基板が接続されている。また、ＣＰＵ２１２の出力側には、主制御回路２０２及び裏パック基板が接続されている。
【０１６９】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１７０】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１７１】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０１７２】
次に、ＩＣタグ１６３からＩＤ情報を読み取ることに基づく不正行為の有無の確認作業について説明する。図２０は上記パチンコ機１０が多数設置された遊技ホールＨの概略図である。
【０１７３】
図２０において、遊技ホールＨに設置された各パチンコ機１０には各々、前述したとおり主制御装置９２にＩＣタグ１６３が取り付けられている。リーダ装置Ｒは、ハンディタイプのリーダであり、ＩＣタグ１６３から非接触の状態でＩＤ情報の読み取りが可能となっている。この場合、既に説明したように、ＩＤ情報の読み取りに際しては、外枠１１に対して遊技機本体１２が開放され、カバー部材９３の区画面１９７に対してリーダ装置Ｒの先端を当接又は近接させた状態で当該読み取り作業が行われる。
【０１７４】
また、管理コンピュータＨＣは、パチンコ機１０の管理プログラムを有する電子演算装置であり、リーダ装置Ｒに接続されることで同リーダ装置Ｒの読み取り情報を読み込むことができるようになっている。図２０中、符号ＤＣは、遊技ゲーム数や大当たり回数などを表示するためのデータカウンタであり、同データカウンタＤＣには、遊技ホールＨにおいてパチンコ機１０ごとの台番号が付されている。
【０１７５】
以上の構成において、リーダ装置Ｒにより各パチンコ機１０のＩＣタグ１６３からＩＤ情報を読み取ると、その読み取り結果は管理コンピュータＨＣにおいて入力されて収集される。この場合に、リーダ装置ＲからはＩＤ情報とともにそのＩＤ情報の出力元のパチンコ機１０を特定する固有情報（台番号等）が合わせて出力される。つまり、リーダ装置Ｒを操作する作業者はＩＤ情報の読み取りを開始する際にその読み取りを開始するパチンコ機１０の固有情報をリーダ装置Ｒに入力し、その入力した固有情報は読み取ったＩＤ情報とともに管理コンピュータＨＣに出力される。
【０１７６】
管理コンピュータＨＣには、パチンコ機１０の固有情報と対応づけて管理用のＩＤ情報が登録された管理データが記憶されている。そして、管理コンピュータＨＣでは、入力した固有情報に基づいて管理用のＩＤ情報を読み出し、その管理用のＩＤ情報と入力したＩＤ情報とを比較し、その比較結果を記憶するとともに、その比較結果を管理コンピュータＨＣに備え付けられた表示装置にて表示する。これにより、主制御装置９２に対する不正行為として、主制御装置９２の不正な装置への交換や、基板ボックス１０２を開封して行う不正な制御基板又は不正なチップへの交換などを行った後に、ＩＤ情報を発信可能な不正なＩＣタグを取り付ける不正行為が行われたとしても、それを発見することが可能となる。
【０１７７】
また、リーダ装置Ｒから呼出波を出力したにも関わらず、所定時間経過しても当該リーダ装置Ｒにて応答波を受信しない場合には、その旨の情報を管理コンピュータＨＣに出力するようにしてもよい。そして、管理コンピュータＨＣでは、応答波を受信しない旨をそのパチンコ機１０を特定した態様で記憶するとともに、表示装置にて表示する。これにより、主制御装置９２の不正な装置への交換や、基板ボックス１０２を開放して行う不正な制御基板又は不正なチップへの交換などを行った後に、不正なＩＣタグを取り付けない不正行為が行われたとしても、それを発見することが可能となる。
【０１７８】
以上詳述した本実施の形態によれば、以下の優れた効果を奏する。
【０１７９】
主制御装置９２の基板ボックス１０２にＩＣタグ１６３付きの封印シール１６０が貼り付けられていることにより、遊技ホールの管理者等はＩＣタグ１６３から正規の識別情報を受信することができるか否かを確認することで、主制御装置９２を好適に管理することができる。
【０１８０】
本構成において、基板ボックス１０２の不正開放が行われた場合には、封印シール１６０に設けられたＩＣタグ１６３のアンテナ部材１７２において何らかの切断が発生することが期待される。そして、アンテナ部材１７２が切断された場合には、ＩＣタグ１６３が通信不可となることがある。この場合、遊技ホールの管理者等にとってはリーダ装置Ｒから呼出波を出力させてもＩＤ情報の読み取りを行えないことで、基板ボックス１０２の上記不正開放が行われたことを把握することができる。
【０１８１】
また、アンテナ部材１７２に長さ方向の途中位置において切断が生じた場合には、ＩＣタグ１６３において通信が可能であるが、通信可能距離が短くなることが想定される。この場合、リーダ装置Ｒによる読み取り作業が短縮後の通信可能距離外にて行われれば当該読み取り作業を通じて不正行為の事実を認識することができるが、読み取り作業が短縮後の通信可能距離内にて行われれば当該読み取り作業を通じて不正行為の事実を認識することができない。
【０１８２】
これに対して、本構成によれば、基板ボックス１０２にはカバー部材９３が設けられており、ＩＣタグ１６３に対して少なくとも特定の向きからリーダ装置Ｒによる識別情報の読み取りを行う場合の読み取り位置がＩＣタグ１６３から予め定められた距離以上離れた位置となるように制限されている。これにより、遊技ホールの管理者等においてＩＣタグ１６３に対して特定の向きからリーダ装置Ｒによる読み取り作業を行うように決めておけば、アンテナ部材１７２に切断が生じて通信可能距離が短くなった場合には、リーダ装置ＲにてＩＤ情報を読み取ることができない事実を把握することで基板ボックス１０２の不正開放が行われた可能性があることを認識することができる。
【０１８３】
また、本構成によれば、カバー部材９３を設けるという比較的な構成により上記効果を奏することができる。また、遊技ホールの管理者等にとってはリーダ装置Ｒをカバー部材９３の区画面１９７に当接又は近接させることで、ＩＣタグ１６３に対してリーダ装置Ｒが予め定められた距離以上離れた状態となる。よって、ＩＤ情報の読み取り作業の作業性を向上させながら上記効果を奏することができる。
【０１８４】
また、カバー部材９３により封印シール１６０を保護する機能が果たされるとともに、封印シール１６０にアクセスしづらくする機能が果たされる。つまり、カバー部材９３を設けることにより、様々な効果を同時に奏することができる。
【０１８５】
アンテナ部材１７２にインピーダンス整合用のスリット１７３が形成されているとともに、ベースシート１６１にスリット１７３に向けて延びるアンテナ用切り込み１７６が形成されている。これにより、基板ボックス１０２を不正に開放させるべく封印シール１６０が剥がされた場合にはアンテナ用切り込み１７６を通じて、アンテナ部材１７２においてスリット１７３が形成された領域が破壊又は切断されることが期待される。そして、スリット１７３が形成された領域が破壊又は切断された場合にはアンテナ部材１７２とＩＣチップ１７１との間でインピーダンス整合が良好に行われなくなり、ＩＣタグ１６３が通信不可となる。これにより、遊技ホールの管理者等にとってはＩＤ情報の読み取り作業を行えないことを把握することで容易に不正行為の発生を認識することができる。
【０１８６】
また、封印シール１６０は、アンテナ部材１７２においてスリット１７３が形成された領域（以下、スリット領域ともいう）が境界１３６を跨ぐようにして貼り付けられている。これにより、封印シール１６０が境界１３６に沿って切断された場合にはそれに伴ってスリット領域が破壊又は切断されることとなり、遊技ホールの管理者等にとってはＩＤ情報の読み取り作業を行えないことを把握することで容易に不正行為の発生を認識することができる。また、境界１３６を露出させるために封印シール１６０が剥がされた場合であっても、境界１３６の全体を露出させるためには封印シール１６０においてスリット１７３が配置された領域を剥がす必要が生じる。そうすると、アンテナ用切り込み１７６を通じたスリット領域の破壊又は切断が期待され、遊技ホールの管理者等にとってはＩＤ情報の読み取り作業を行えないことを把握することで容易に不正行為の発生を認識することができる。
【０１８７】
また、スリット領域に向けて延びるアンテナ用切り込み１７６のうちの一部が境界１３６を跨ぐようにしてアンテナ部材１７２が配置されている。また、スリット領域に向けて延びるアンテナ用切り込み１７６のうちアンテナ部材１７２の一方の長辺部側に形成されたものと他方の長辺部側に形成されたものとで境界１３６の一部を間に挟むようにして封印シール１６０が配置されている。これにより、封印シール１６０において境界１３６を挟んで対向する両対向端部のうちいずれから封印シール１６０が剥がされたとしても、アンテナ用切り込み１７６を通じたスリット領域の破壊又は切断が生じ得る。よって、境界１３６を露出させるべく封印シール１６０が剥がされた場合にはスリット領域の破壊又は切断が生じ易くなる。
【０１８８】
ちなみに、アンテナ用切り込み１７６がアンテナ部材１７２において一方の長辺部側に形成されているとともに他方の長辺部側に形成されていることにより、封印シール１６０が剥がされた場合にアンテナ用切り込み１７６を通じたスリット領域の破壊又は切断が生じ易くなっている。
【０１８９】
また、各アンテナ用切り込み１７６は、ベースシート１６１においてアンテナ部材１７２の配置されていない領域側を一端として、他端側がアンテナ部材１７２の配置されている領域に若干かかるように形成されている。これにより、アンテナ用切り込み１７６を通じて封印シール１６０が破れた場合には、その破れ領域は封印シール１６０においてスリット領域に容易に達するため、アンテナ用切り込み１７６を通じたスリット領域の破壊又は切断が生じ易くなる。
【０１９０】
また、アンテナ用切り込み１７６はベースシート１６１に形成されておりアンテナ部材１７２には形成されていない。さらに、アンテナ部材１７２の一方の長辺部側に形成されたアンテナ用切り込み１７６と他方の長辺部側に形成されたアンテナ用切り込み１７６とがアンテナ部材１７２の幅方向に並ばないように形成されている。これにより、アンテナ用切り込み１７６を通じてスリット領域が破壊又は切断され易くなるようにした構成において、封印シール１６０を貼付領域に正規に貼り付ける際に誤ってスリット領域が破壊又は切断されてしまう可能性が低減される。
【０１９１】
封印シール１６０が貼り付けられる貼付領域において、表側固定ベース部１３１と裏側固定ベース部１３２との境界１３６は曲がり部を有するように形成されている。境界１３６を跨ぐように封印シール１６０が貼り付けられた構成においては、基板ボックス１０２を開放させる際には境界１３６を露出させるべく、境界１３６に沿って封印シール１６０を切断する又は封印シール１６０を剥がす必要が生じる。これに対して、境界１３６は曲がり部を有するように形成されているため、当該境界１３６に沿って封印シール１６０を切断すると、境界１３６が一直線状である構成に比べ切断領域が広範囲になるとともに切断作業も行いづらくなる。その一方、封印シール１６０を剥がそうとすると、剥がしている途中にて封印シール１６０が破れてしまうことが考えられ、封印シール１６０が破れた場合にはそれに伴ってアンテナ部材１７２が切断されることが期待される。よって、本構成によれば、ＩＣタグ１６３付きの封印シール１６０を貼り付けることによる不正発見効果が高められる。
【０１９２】
表側固定ベース部１３１の凹み領域１４２には引っ掛け部１５５が形成されており、表側構成体１１１と裏側構成体１１２とを分離させるべく規制手段により規制された方向に両構成体１１１，１１２をスライド移動させた場合には引っ掛け部１５５が裏側固定ベース部１３２の突出壁部１４４に当接することで当該スライド移動が阻止される。これにより、表側構成体１１１と裏側構成体１１２とを分離して所定の不正を行おうとしてもそれが難しくなる。そして、凹み領域１４２に突出壁部１４４が入り込むことで境界１３６に曲がり部が生じている。つまり、本構成によれば表側構成体１１１と裏側構成体１１２との分離を阻止する構成を利用して、境界１３６に曲がり部を生じさせることができる。
【０１９３】
＜第２の実施の形態＞
本実施の形態では、リーダ装置によるＩＤ情報の読み取り位置をＩＣタグの位置から所定の距離だけ確実に離間させるための構造が上記第１の実施の形態と異なっている。かかる相違する構成について、図２１を用いて説明する。図２１は主制御装置２３０においてカバー部材２３９が取り付けられた側の構成及びその周辺の構成を説明するための説明図である。なお、上記第１の実施の形態と同様の構成については、図２１において同一の番号を付すとともに基本的に説明を省略する。
【０１９４】
主制御装置２３０は、上記第１の実施の形態における主制御装置９２と同様に、取付台９１を介して遊技盤３３に搭載されている。主制御装置２３０は、表側構成体２３１と裏側構成体２３２とが組み合わされてなる基板ボックス２３３を備えており、当該基板ボックス２３３に主制御基板が収容されている。
【０１９５】
基板ボックス２３３には、上記第１の実施の形態における基板ボックス１０２と同様に、表側固定ベース部２３４と裏側固定ベース部２３５とが組み合わされてなる固定ベース２３６が設けられており、当該固定ベース２３６には両ベース部２３４，２３５の境界を跨ぐようにして封印シール２３７が貼り付けられている。封印シール２３７は、ＩＣタグ２３８を備えている。これら封印シール２３７及びＩＣタグ２３８の構成は、上記第１の実施の形態における封印シール１６０及びＩＣタグ１６３と同様である。
【０１９６】
基板ボックス２３３には、封印シール２３７の周囲を囲むようにしてカバー部材２３９が取り付けられている。カバー部材２３９は、上記第１の実施の形態におけるカバー部材９３と同様に、所定の内部空間２４０が形成された箱状に形成されており、封印シール２３７が貼り付けられた固定ベース２３６が当該内部空間２４０に収容されている。
【０１９７】
ここで、カバー部材２３９は、上記第１の実施の形態におけるカバー部材９３と異なり、全ての壁部が電波を透過可能に形成されているのではなく、一部の壁部のみが電波を透過可能に形成されている。具体的には、カバー部材２３９において遊技盤３３側を向く面を形成する透過可能壁部２４１を除いた各壁部２４２は電波の透過を防止又は抑制するシールド性を有するように形成されている。当該シールド性を有するようにするための具体的な構成は任意であるが、例えば、上記壁部２４２を電磁シールド性の高い金属材料により形成する構成や、電磁シールド性の低い材料により壁部２４２のベースを形成するとともに当該ベースに対して電磁シール性の高い材料によるコーティングを施す構成が考えられる。
【０１９８】
上記のようにカバー部材２３９が設けられていることにより、ＩＣタグ２３８の通常の通信可能な範囲Ｃ１は、透過可能壁部２４１側、つまり遊技盤３３側に規制される。遊技盤３３は電波を透過可能な材料、具体的には木材により形成されている。また、遊技盤３３の表面においてカバー部材２３９のパチンコ機１０前方に位置する部位には、パチンコ機１０の製造情報などが記載された証紙を貼り付けるための台座２４３が設けられており、当該台座２４３において証紙が貼り付けられる貼付面２４４は平面状となっている。そして、これら台座２４３及び証紙は電波を透過可能となっているとともに、台座２４３とＩＣタグ２３８との間に電波を遮断する部材が設けられていない。
【０１９９】
ＩＣタグ２３８の通信可能範囲には、台座２４３の貼付面２４４の全体が含まれているとともに、台座２４３よりもパチンコ機１０前方の空間が含まれている。したがって、遊技ホールの管理者等は、ＩＤ情報の読み取り作業に際して、前扉枠１４を開放させることで遊技盤３３の表面を露出させ、リーダ装置Ｒの先端を上記貼付面２４４又は貼付面２４４に貼り付けられた証紙に当接又は近接させることで、ＩＤ情報の読み取り作業を簡単且つ確実に行うことができる。つまり、貼付面２４４はＩＤ情報の読み取り作業に際しての位置決め部として機能する。
【０２００】
以上のとおり本実施の形態では、ＩＤ情報の読み取り作業は、遊技機本体１２の背面側からではなく遊技機本体１２の正面側から行われる。
【０２０１】
本実施の形態のＩＣタグ２３８は上記第１の実施の形態におけるＩＣタグ１６３と同様の構成を有しているため、基板ボックス２３３の不正開放が行われた場合にはＩＣタグ２３８のアンテナ部材２３８ａにおいて何らかの切断が発生することが期待される。そして、アンテナ部材２３８ａが切断された場合には、ＩＣタグ２３８が通信不可となることがある。この場合、遊技ホールの管理者等にとってはリーダ装置Ｒから呼出波を出力させてもＩＤ情報の読み取りを行えないことで、基板ボックス２３３の不正開放が行われたことを把握することができる。
【０２０２】
ＩＣタグ２３８が通信不可とならない場合であってもアンテナ部材２３８ａが切断された場合には、ＩＣタグ２３８の通信可能範囲が狭くなる。この場合に、ＩＣタグ２３８の通信可能範囲Ｃ２に貼付面２４４が含まれなくなることで、遊技ホールの管理者等がリーダ装置Ｒを貼付面２４４に位置決めさせた状態でＩＤ情報の読み取りを行おうとしてもそれが不可となる。
【０２０３】
特に、カバー部材２３９は透過可能壁部２４１以外の壁部２４２が電波の透過を防止又は抑制するシールド性を有しているため、遊技機本体１２の背面側からＩＤ情報の読み取りを行おうとしてもそれが不可となり、読み取り位置が上記貼付面２４４側に確実に規制される。したがって、アンテナ部材２３８ａが切断された場合には、リーダ装置ＲによりＩＤ情報の読み取り作業が行えなくなる状況が発生し易くなり、それに伴って基板ボックス１０２の不正開放の発見を行い易くなる。
【０２０４】
なお、リーダ装置ＲによるＩＤ情報の読み取り位置が遊技盤３３の表面側にて位置決めされる構成に代えて、ＩＣタグ２３８の通常の通信可能範囲が上記のものよりも広範囲である構成においては、前扉枠１４の表面側にて位置決めされる構成としてもよい。この場合、遊技ホールの管理者等が、本来なら前扉枠１４の表面側からＩＤ情報の読み取り作業を行うはずなのに、遊技盤３３の表面側からＩＤ情報の読み取り作業を行うと、ＩＣタグ２３８の通信可能範囲が狭くなっていてもＩＤ情報の読み取りが行えてしまうという状況が発生するおそれはあるが、ＩＤ情報の通常の読み取り作業に際して前扉枠１４の開放作業を要しない点で、ＩＤ情報の読み取り作業の作業性を向上させることができる。
【０２０５】
＜第３の実施の形態＞
本実施の形態では、固定ベース１９１における表側固定ベース部１３１と裏側固定ベース部１３２との境界１３６に対するＩＣタグ１６３のアンテナ部材１７２の位置関係が上記第１の実施の形態と異なっている。かかる相違する構成について、図２２を用いて説明する。図２２は境界１３６とアンテナ部材１７２との位置関係を説明するための説明図である。なお、上記第１の実施の形態と同様の構成については、図２２において同一の番号を付すとともに基本的に説明を省略する。
【０２０６】
境界１３６は、上記第１の実施の形態と同様に、非一直線状に形成されており、第１ライン１４５〜第５ライン１４９が順次連続することで形成されている。アンテナ部材１７２は、上記第１の実施の形態と同様に、境界１３６を跨ぐようにして配置されているが、上記第１の実施の形態と異なり一のラインではなく複数のライン１４７〜１４９を跨いでいる。具体的には、アンテナ部材１７２は第３ライン１４７と、第４ライン１４８と、第５ライン１４９とを跨いでいる。この場合に、アンテナ部材１７２において第３ライン１４７を跨ぐ領域にはスリット１７３が形成されている。
【０２０７】
上記構成によれば、基板ボックス１０２の不正開放を行うべく封印シール１６０を境界１３６に沿って切断した場合には上記第１の実施の形態よりも多い箇所においてアンテナ部材１７２の切断が発生することが期待される。また、基板ボックス１０２の不正開放を行うべく固定ベース１９１から封印シール１６０を剥がした場合には、封印シール１６０におけるアンテナ部材１７２が配置された領域において境界１３６を露出させるために固定ベース１９１から剥がすことを要される領域が広くなる。そうすると、アンテナ用切り込み１７６を通じてアンテナ部材１７２の切断が発生する箇所が多くなることが期待される。
【０２０８】
上記のようにアンテナ部材１７２の切断が発生する箇所が多くなると、それだけ不正後におけるアンテナ部材１７２の長さ寸法が小さくなる。そうすると、不正後において通信可能範囲を通常の範囲からより大きく狭めることが可能となり不正発見を行い易くなる。
【０２０９】
ちなみに、アンテナ部材１７２においてスリット１７３が形成された領域が境界１３６を跨いでおり、さらにスリット１７３を間に挟むようにして形成された各長辺部側のアンテナ用切り込み１７６は境界１３６を挟んだ両側に配置されている。したがって、基板ボックス１０２の不正開放を行うべく封印シール１６０が切断された場合や固定ベース１９１から剥がされた場合には、アンテナ部材１７２においてスリット１７３が形成された領域にて切断や破壊が発生し、通信が不可となることが期待される。
【０２１０】
なお、上記構成においてアンテナ部材１７２が境界１３６を跨ぐ箇所を３箇所ではなく、２箇所としてもよく、４箇所以上としてもよい。
【０２１１】
＜第４の実施の形態＞
本実施の形態では、固定ベース１９１における両ベース部間の境界の形状が上記第１の実施の形態と異なっている。かかる相違する構成について、図２３を用いて説明する。図２３は境界２５３とアンテナ部材１７２との位置関係を説明するための説明図である。なお、上記第１の実施の形態と同様の構成については、図２３において同一の番号を付すとともに基本的に説明を省略する。
【０２１２】
固定ベース１９１を構成する両固定ベース部２５１，２５２の境界２５３は、上記第１の実施の形態における境界１３６と同様に、非一直線状に形成されている。但し、当該境界２５３は、上記第１の実施の形態における境界１３６よりもラインの数が少なく形成されている。具体的には、側面領域２５４外の境界から連続する第１ライン２５５と、第１ライン２５５に対して連続し且つ当該第１ライン２５５に対して交差する方向、より具体的には直交又は略直交する方向に延びる第２ライン２５６と、第２ライン２５６に対して連続し且つ当該第２ライン２５６に対して交差する方向、より具体的には第１ライン２５５に対して平行又は略平行となる方向に延びる第３ライン２５７と、を有しており、第３ライン２５７は側面領域２５４外の境界に連続している。
【０２１３】
ＩＣタグ１６３を有する封印シール１６０は、ＩＣタグ１６３のアンテナ部材１７２が第３ライン２５７を跨ぐようにして配置されている。この場合、アンテナ部材１７２においてスリット１７３が形成された領域は第３ライン２５７を跨いでいないが、当該スリット１７３が形成された領域は第３ライン２５７よりも裏面領域２５８側であって第１ライン２５５よりも表面領域２５９側の範囲に少なくとも一部が、具体的には全体が含まれている。これにより、基板ボックス１０２の不正開放に際して境界２５３の全体を露出させるべく封印シール１６０を同一方向に剥がした場合にはスリット１７３が形成された領域も剥がされることとなる。そうすると、アンテナ部材１７２においてスリット１７３が形成された領域が、スリット１７３に向けて形成されたアンテナ用切り込み１７６を通じて切断又は破壊されることが期待される。
【０２１４】
また、スリット１７３を間に挟むようにして形成された各長辺部側のアンテナ用切り込み１７６は第３ライン２５７を挟んだ両側に配置されている。したがって、基板ボックス１０２の不正開放に際して境界２５３の全体を露出させるべく方向を随時変えながら封印シール１６０を引き剥がした場合であっても、アンテナ部材１７２においてスリット１７３が形成された領域が、スリット１７３に向けて形成されたアンテナ用切り込み１７６を通じて切断又は破壊されることが期待される。
【０２１５】
＜第５の実施の形態＞
ＩＣタグ１６３に対して特定の向きからＩＤ情報の読み取りを行う場合に読み取り位置がＩＣタグ１６３から予め定められた距離以上となるように制限することで不正行為を良好に発見できるという特徴に着目した場合又はアンテナ部材１７２に不可状態発生部としてスリット１７３が形成されているとともに当該スリット１７３に対してアンテナ用切り込み１７６が形成されていることで不正行為を良好に発見できるという特徴に着目した場合、図２４に示す構成としてもよい。以下、図２４の構成について説明する。図２４は境界２６３とアンテナ部材１７２との位置関係を説明するための説明図である。なお、上記第１の実施の形態と同様の構成については、図２４において同一の番号を付すとともに基本的に説明を省略する。
【０２１６】
固定ベース１９１を構成する両固定ベース部２６１，２６２の境界２６３は、上記第１の実施の形態における境界１３６と異なり、一直線状に形成されている。ＩＣタグ１６３を有する封印シール１６０は、ＩＣタグ１６３のアンテナ部材１７２においてスリット１７３が形成された領域が境界２６３を跨ぐようにして配置されている。これにより、基板ボックス１０２の不正開放に際して境界２６３に沿って封印シール１６０を切断した場合にはスリット１７３が形成された領域も切断されることとなる。
【０２１７】
また、スリット１７３を間に挟むようにして形成された各長辺部側のアンテナ用切り込み１７６は境界２６３を挟んだ両側に配置されている。したがって、基板ボックス１０２の不正開放に際して境界２６３の全体を露出させるべく封印シール１６０を剥がす場合の方向がいずれの方向であったとしても、アンテナ部材１７２においてスリット１７３が形成された領域が、スリット１７３に向けて形成されたアンテナ用切り込み１７６を通じて切断又は破壊されることが期待される。
【０２１８】
＜他の実施の形態＞
なお、上述した各実施の形態の記載内容に限定されず、例えば次のように実施してもよい。ちなみに、以下の別形態の構成を、上記各実施の形態における構成に対して、個別に適用してもよく、相互に組み合わせて適用してもよい。また、以下の別形態の構成は、適用対象として例示した実施の形態とは異なる実施の形態に対して適用してもよい。
【０２１９】
（１）上記第１の実施の形態では、制限手段としてカバー部材９３を設けたが、これに限定されることはなく、例えば板状の部材をＩＣタグ１６３に対して予め定められた距離以上離れた位置に配置し、当該板状の部材にＩＣタグ１６３側とは反対側からリーダ装置を当接又は近接させてＩＤ情報の読み取り作業を行うようにしてもよい。また、箱状ではなく枠状又は網状の部材を設けるとともに、当該部材においてＩＣタグ１６３に対して予め定められた距離以上離れた位置となる部位にＩＣタグ１６３側とは反対側からリーダ装置を当接又は近接させてＩＤ情報の読み取り作業を行うようにしてもよい。
【０２２０】
また、裏パックユニット１５の保護カバー部７５により主制御装置９２をパチンコ機１０後方から覆うようにするとともに、当該保護カバー部７５の背面からＩＣタグ１６３に対して予め定められた距離以上離れた位置となるようにし、当該保護カバー部７５の背面にリーダ装置を当接又は近接させてＩＤ情報の読み取り作業を行うようにしてもよい。この場合、裏パックユニット１５により制限手段としての機能が果たされる。
【０２２１】
（２）カバー部材９３の区画面１９７がパチンコ機１０後方を向いている構成に限定されることはなく、例えば、主制御装置９２を遊技盤３３に対して起立させて設置することで、区画面１９７が遊技機本体１２の回動先端側又は回動基端側を向く構成としてもよい。この場合、区画面１９７が遊技機本体１２の回動先端側を向くようにすることで、リーダ装置を区画面１９７に近付ける作業を容易に行うことができる。
【０２２２】
（３）カバー部材９３が分離に際して所定の部位の破壊を要するように基板ボックス１０２に固定された構成としてもよい。この場合、カバー部材９３において、表側固定ベース部１３１と裏側固定ベース部１３２とを不正に分離させようとしてもそれを行いづらくする効果が高められる。
【０２２３】
（４）上記第１の実施の形態において、ＩＣタグ１６３に対して特定の向きからＩＤ情報の読み取りを行う場合に読み取り位置がＩＣタグ１６３から予め定められた距離以上となるように制限することで不正行為を良好に発見できるという特徴に着目した場合には、ＩＣタグ１６３が封印シール１６０に取り付けられている構成は必須ではなく、例えば、ＩＣタグ１６３が封印シール１６０を介することなく接着剤などによって基板ボックス１０２に固定された構成としてもよい。
【０２２４】
（５）表側固定ベース部１３１と裏側固定ベース部１３２との境界１３６が少なくとも一部にＶ字状又はＵ字状となる領域を有していてもよい。また、Ｌ字状に形成されていてもよく、曲がり部分が曲線状となるように形成されていてもよい。さらには、境界１３６の全体が曲線状にカーブするように形成されていてもよく、境界１３６の延びる方向に連続する山切り形状となるように形成されていてもよい。
【０２２５】
（６）上記第１の実施の形態において、アンテナ部材１７２においてスリット１７３が形成された領域が境界１３６を跨がないように封印シール１６０が配置されていてもよい。但し、この場合、境界１３６を露出させるべく封印シール１６０を剥がす場合にスリット１７３が形成された領域も剥がされるようにするべく、第２ライン１４６と第４ライン１４８との間にスリット１７３の少なくとも一部が含まれるように封印シール１６０を配置したり、第１ライン１４５よりも表面領域１３３側であって第３ライン１４７よりも裏面領域１３４側にスリット１７３の少なくとも一部が含まれるように封印シール１６０を配置するとよい。
【０２２６】
また、本構成において、スリット１７３に向けて延びるアンテナ用切り込み１７６が境界１３６を跨ぐように封印シール１６０を配置してもよく、アンテナ部材１７２において一方の長辺部側のアンテナ用切り込み１７６と他方の長辺部側のアンテナ用切り込み１７６とにより境界１３６を間に挟むように封印シール１６０を配置してもよい。これらの場合、封印シール１６０において境界１３６を挟んで対向する両対向端部のうちいずれの方向から封印シール１６０が剥がされたとしても、アンテナ用切り込み１７６を通じたスリット１７３の破壊が期待される。
【０２２７】
（７）上記第１の実施の形態において、アンテナ部材１７２が境界１３６を跨がないように封印シール１６０が配置されていてもよい。但し、この場合、境界１３６を露出させるべく封印シール１６０を剥がす場合にアンテナ部材１７２の一部やアンテナ部材１７２においてスリット１７３が形成された領域も剥がされるようにするべく、第２ライン１４６と第４ライン１４８との間にアンテナ部材１７２やスリット１７３の一部が含まれるように封印シール１６０を配置したり、第１ライン１４５よりも表面領域１３３側であって第３ライン１４７よりも裏面領域１３４側にアンテナ部材１７２やスリット１７３の少なくとも一部が含まれるように封印シール１６０を配置するとよい。
【０２２８】
（８）貼付領域において表側固定ベース部１３１と裏側固定ベース部１３２との間の境界１３６が側面領域１３５にのみ形成されている構成に限定されることはなく、表面領域１３３にのみ形成されている構成としてもよく、裏面領域１３４にのみ形成されている構成としてもよい。また、表面領域１３３と側面領域１３５との両方に亘って境界１３６が形成されていてもよく、裏面領域１３４と側面領域１３５との両方に亘って境界１３６が形成されていてもよい。さらには、表面領域１３３、側面領域１３５及び裏面領域１３４の全てに亘って境界１３６が形成されていてもよい。上記いずれの構成であっても、いずれかの面上において境界１３６に曲がり部が生じていることが好ましい。
【０２２９】
（９）貼付領域がコーナー部を介して連続する３つの面からなる構成に限定されることはなく、コーナー部を介して連続する２つの面又はコーナー部を介して連続する４つの面からなる構成としてもよい。つまり、貼付領域がコーナー部を介して連続する複数の面からなる構成においては、その具体的な面の数は任意である。このように貼付領域がコーナー部を介して連続する複数の面からなる構成によれば、封印シール１６０が貼付領域から剥がされる際にコーナー部の位置にて封印シール１６０に大きな応力がかかることが期待され、それに伴って封印シール１６０の破れやアンテナ部材１７２の切断が発生し易くなる。
【０２３０】
また、貼付領域がコーナー部を介して連続する複数の面からなる構成に限定されることはなく、単一の面からなる構成としてもよい。
【０２３１】
（１０）ベースシート１６１に対して長尺状のアンテナ部材１７２が直線状に配置されている構成に限定されることはなく、略直線状又は曲線状に配置されている構成としてもよい。また、長さ方向の途中位置において単一の又は複数の曲がり部を有するように配置されていてもよい。
【０２３２】
（１１）封印シール１６０が剥がされる際にスリット１７３が破壊され易くする易破壊部は、アンテナ用切り込み１７６のようにスリット状であることに限定されることはなく、断続的に延びる破断線状であってもよい。また、開口部であってもよく、周囲の領域よりも薄く形成された薄膜部であってもよい。さらには、アンテナ部材１７２の端部からスリット１７３に向けて凹む凹部であってもよい。このように凹部として易破壊部を形成する構成においては、当該易破壊部はベースシート１６１ではなくアンテナ部材１７２に形成されることとなる。この場合、易破壊部として、上記凹部の他に、ベースシート１６１に対しても上記のように例示した易破壊部を形成してもよい。かかる構成とした場合、封印シール１６０が剥がされた場合にスリット１７３が破壊され易くなる。
【０２３３】
（１２）上記第１の実施の形態では、アンテナ用切り込み１７６がベースシート１６１に形成されていて、アンテナ部材１７２には形成されていない構成としたが、これに限定されることはなく、アンテナ部材１７２にもベースシート１６１のアンテナ用切り込み１７６に連続する切り込みが形成されていてもよい。但し、当該切り込みはアンテナ部材１７２を切断しない範囲及びスリット１７３に達しない範囲で形成する必要がある。
【０２３４】
（１３）長尺状のアンテナ部材１７２に代えてループ状のアンテナ部材を用いてもよい。この場合、ループ部が切断された場合には通信不可又は通信しづらくなるように構成するとともに、当該ループ部を上記各実施の形態におけるスリット１７３に相当するものとして境界１３６との位置関係やアンテナ用切り込み１７６との位置関係を設定するとよい。例えば、ループ部に向けて延びる易破壊部を形成することで、封印シール１６０が剥がされた場合にはループ部の切断が期待される。また、ループ部が境界１３６を跨ぐようにして封印シール１６０を配置することで、境界１３６を露出させるべく封印シール１６０が切断された場合や封印シール１６０が剥がされた場合にはループ部の切断が期待される。
【０２３５】
なお、不可状態発生部は上記各実施の形態のスリット１７３や上記ループ部に限定されることはなく、自身の破壊に伴ってＩＣタグ１６３が通信不可又は通信しづらくなるのであれば、具体的な構成は任意である。但し、上記スリット１７３や上記ループ部により不可状態発生部を形成する構成においては、当該不可状態発生部を簡単な構成として設けることができる。
【０２３６】
（１４）基板ボックス１０２が一の壁部に開口部が形成された箱体と、当該開口部を覆う板状の蓋体とから形成されている構成においては、開口部の周縁部と蓋体との境界の一部を覆うように封印シール１６０が貼り付けられていてもよく、当該境界の全てを覆うように封印シール１６０が貼り付けられていてもよい。
【０２３７】
（１５）表側固定ベース部１３１に突出壁部１４４が形成されているとともに、裏側固定ベース部１３２に凹み領域１４２が形成されている構成としてもよい。また、これら凹み領域１４２及び突出壁部１４４における両固定ベース部１３１，１３２の固定に係る構成は引っ掛け部１５５を用いた構成に限定されることはなく、破断ネジといった固定後の分離を不可又は難しくする固定具を用いた構成としてもよい。また、両固定ベース部１３１，１３２の貫通孔１５１及びネジ孔１５２を通じた固定は、工具を用いて容易に固定解除作業が可能な通常のネジを用いて行われていてもよい。
【０２３８】
（１６）基板ボックス１０２に開放用の切断部が区画形成されており、当該切断部を切断することで基板ボックス１０２の内部空間を開放可能な構成においては、当該切断部の少なくとも一部を跨ぐようにして封印シール１６０を貼り付ける構成としてもよい。切断部を覆うように封印シール１６０が貼り付けられた構成においては切断部を切断するために封印シール１６０も合わせて切断する行為や、切断部を露出させるために封印シール１６０を剥がす行為が想定される。これに対して、切断部において封印シール１６０により覆われる領域に曲がり部が生じるように当該切断部が形成されていてもよく、当該曲がり部は上記各実施の形態における境界１３６の形状と同様のものであってもよい。さらには、切断部とアンテナ部材１７２との位置関係又は切断部とスリット１７３との位置関係を、上記各実施の形態における境界１３６とアンテナ部材１７２との位置関係又は境界１３６とスリット１７３との位置関係のように設定してもよい。これにより、切断部が不正に切断されたか否かの管理を、封印シール１６０を用いて好適に行うことができる。
【０２３９】
なお、上記切断部としては、基板ボックス１０２の壁部を内外に貫通する貫通部がミシン目状となるように断続的に環状に形成された構成が考えられ、また周囲の領域よりも肉薄に形成された肉薄部が環状に形成された構成も考えられる。
【０２４０】
（１７）封印シール１６０の貼付対象は、主制御装置９２に限定されることはなく、払出制御装置８２といった他の制御装置であってもよい。また、複数の制御装置に対して封印シール１６０が貼り付けられた構成としてもよい。さらに、払出装置７８といった制御装置以外の機器に対して封印シール１６０が貼り付けられていてもよく、制御装置と取付台との境界を跨ぐように封印シール１６０が貼り付けられていてもよい。これらいずれの構成であっても、上記各実施の形態における境界１３６とアンテナ部材１７２との位置関係や境界１３６とスリット１７３との位置関係を適用することが好ましく、またＩＤ情報の読み取り位置を予め定められた距離以上に制限する構成を適用することが好ましい。
【０２４１】
（１８）ＩＣタグ１６３に対して特定の向きからＩＤ情報の読み取りを行う場合に読み取り位置がＩＣタグ１６３から予め定められた距離以上となるように制限することで不正行為を良好に発見できるという特徴に着目した場合、又は境界１３６が曲がり部を有するように形成されていることで封印シール１６０を通じた不正発見効果が高められるという特徴に着目した場合、アンテナ部材１７２に不可状態発生部が形成されていることは必須ではなく、またベースシート１６１に易破壊部が形成されていることも必須ではない。
【０２４２】
（１９）アンテナ部材１７２に不可状態発生部としてスリット１７３が形成されているとともに当該スリット１７３に対してアンテナ用切り込み１７６が形成されていることで不正行為を良好に発見できるという特徴に着目した場合、又は境界１３６が曲がり部を有するように形成されていることで封印シール１６０を通じた不正発見効果が高められるという特徴に着目した場合、ＩＣタグ１６３に対して特定の向きからＩＤ情報の読み取りを行う場合に読み取り位置がＩＣタグ１６３から予め定められた距離以上となるように制限する構成は必須ではない。
【０２４３】
（２０）上記各実施の形態では、ＩＣタグ１６３はリーダ装置からの呼出波を受信することにより識別情報を応答波として発信する構成としたが、これに代えて、識別情報を含んだ電波を常時発信するＩＣタグとしてもよい。
【０２４４】
（２１）２個の構成体１１１，１１２が組み合わされて基板ボックス１０２が形成されている構成に限定されることはなく、３個以上の構成体が組み合わされて基板ボックス１０２が形成されていてもよい。また、封印シール１６０においてアンテナ部材１７２が斜めに配置されている構成に限定されることはなく、斜め以外の方向に配置されている構成としてもよい。また、封印シール１６０のベースシート１６１は長方形状であることに限定されることはなく、正方形状、他の多角形状又は円形状であってもよい。
【０２４５】
（２２）上記各実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置９２とは別に設けることで、主制御基板１０１は主制御回路２０２のみの機能を有する構成としてもよい。
【０２４６】
（２３）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２４７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０２４８】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０２４９】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０２５０】
特徴Ａ１．固有の識別情報を記憶した記憶部（ＩＣチップ１７１）と、所定の長さ寸法を有するとともに前記識別情報を含む電波を発信するアンテナ部（アンテナ部材１７２）と、を備えた電子タグ（ＩＣタグ１６３）を有し、
予め定められた監視対象（主制御装置９２）の一部の分離が行われる場合又は予め定められた監視対象の設置箇所からの移動が行われる場合に前記アンテナ部が長さ方向の途中位置において切断が生じ得るように前記電子タグが取り付けられており、
さらに、前記電波を受信することで前記識別情報の読み取りを行うリーダ装置を用いた読み取り作業に際して、前記電子タグに対して少なくとも特定の向きから前記リーダ装置による識別情報の読み取りを行う場合の読み取り位置が前記電子タグに対して予め定められた距離以上離れた位置となるように制限する制限手段（カバー部材９３）を備えていることを特徴とする遊技機。
【０２５１】
特徴Ａ１によれば、監視対象に電子タグが設けられていることにより、遊技ホールの管理者等は電子タグから正規の識別情報を受信することができるか否かを確認することで、監視対象を好適に管理することができる。
【０２５２】
本構成において、監視対象の一部の分離が行われる場合又は監視対象の設置箇所からの移動が行われる場合にアンテナ部には長さ方向の途中位置において切断が生じ得る。この場合に電子タグの通信が不可となることで、遊技ホールの管理者等はその事実を把握することで監視対象に対して不正行為が行われた可能性があることを認識することができる。
【０２５３】
また、アンテナ部に長さ方向の途中位置において切断が生じた場合に、電子タグにおいて通信が可能であるが、通信可能距離が短くなることが想定される。この場合、リーダ装置による読み取り作業が短縮後の通信可能距離外にて行われれば当該読み取り作業を通じて不正行為の事実を認識することができるが、読み取り作業が短縮後の通信可能距離内にて行われれば当該読み取り作業を通じて不正行為の事実を認識することができない。
【０２５４】
これに対して、本構成によれば、制限手段が設けられており、電子タグに対して少なくとも特定の向きからリーダ装置による識別情報の読み取りを行う場合の読み取り位置が電子タグに対して予め定められた距離以上離れた位置となるように制限されている。これにより、遊技ホールの管理者等において電子タグに対して特定の向きからリーダ装置による読み取り作業を行うように決めておけば、アンテナ部に切断が生じて通信可能距離が短くなった場合には、リーダ装置にて識別情報を読み取ることができない事実を把握することで監視対象に対して不正行為が行われた可能性があることを認識することができる。
【０２５５】
特徴Ａ２．固有の識別情報を記憶した記憶部（ＩＣチップ１７１）と、所定の長さ寸法を有するとともに前記識別情報を含む電波を発信するアンテナ部（アンテナ部材１７２）と、を備えた電子タグ（ＩＣタグ１６３）を有し、
一方の面に粘着層（粘着層１６２）を有するベースシート（ベースシート１６１）の粘着層側に前記電子タグが取り付けられていることでシール部材（封印シール１６０）が構成されているとともに、当該シール部材は、予め定められた監視対象（主制御装置９２）に対して貼り付けられており、
前記シール部材がその貼付領域から剥がされる際にその応力に伴い自身が破壊されることに伴って前記アンテナ部が長さ方向の途中位置において切断が生じ得るように前記シール部材が形成されており、
さらに、前記電波を受信することで前記識別情報の読み取りを行うリーダ装置を用いた読み取り作業に際して、前記電子タグに対して少なくとも特定の向きから前記リーダ装置による識別情報の読み取りを行う場合の読み取り位置が前記電子タグに対して予め定められた距離以上離れた位置となるように制限する制限手段（カバー部材９３）を備えていることを特徴とする遊技機。
【０２５６】
特徴Ａ２によれば、監視対象に電子タグが設けられていることにより、遊技ホールの管理者等は電子タグから正規の識別情報を受信することができるか否かを確認することで、監視対象を好適に管理することができる。
【０２５７】
本構成において、監視対象の一部の分離が行われる場合又は監視対象の設置箇所からの移動が行われる場合に、シール部材が貼付領域から剥がされた場合にはアンテナ部には長さ方向の途中位置において切断が生じ得る。この場合に電子タグの通信が不可となることで、遊技ホールの管理者等はその事実を把握することで監視対象に対して不正行為が行われた可能性があることを認識することができる。
【０２５８】
また、アンテナ部に長さ方向の途中位置において切断が生じた場合に、電子タグにおいて通信が可能であるが、通信可能距離が短くなることが想定される。この場合、リーダ装置による読み取り作業が短縮後の通信可能距離外にて行われれば当該読み取り作業を通じて不正行為の事実を認識することができるが、読み取り作業が短縮後の通信可能距離内にて行われれば当該読み取り作業を通じて不正行為の事実を認識することができない。
【０２５９】
これに対して、本構成によれば、制限手段が設けられており、電子タグに対して少なくとも特定の向きからリーダ装置による識別情報の読み取りを行う場合の読み取り位置が電子タグに対して予め定められた距離以上離れた位置となるように制限されている。これにより、遊技ホールの管理者等において電子タグに対して特定の向きからリーダ装置による読み取り作業を行うように決めておけば、アンテナ部に切断が生じて通信可能距離が短くなった場合には、リーダ装置にて識別情報を読み取ることができない事実を把握することで監視対象に対して不正行為が行われた可能性があることを認識することができる。
【０２６０】
特徴Ａ３．前記制限手段は、前記電子タグから前記特定の向きに前記予め定められた距離以上離れた位置に配置され、前記電波を透過可能に形成された離間壁部（第１離間壁部１９４、第２離間壁部１９５）を有していることを特徴とする特徴Ａ１又はＡ２に記載の遊技機。
【０２６１】
特徴Ａ３によれば、離間壁部を設けるという比較的簡素な構成により、上記特徴Ａ１又はＡ２の優れた効果を奏することができる。また、離間壁部に当接又は近接させてリーダ装置による読み取り作業を行うことで、電子タグに対して特定の向きからリーダ装置による読み取りを行う場合の読み取り位置が電子タグに対して予め定められた距離以上離れた位置となる。よって、読み取り作業の作業性の向上を図りながら、上記特徴Ａ１又はＡ２の優れた効果を奏することができる。
【０２６２】
特徴Ａ４．前記制限手段は、前記監視対象に対して取り付けられており、当該監視対象との間で前記電子タグの収容領域を形成するとともに前記離間壁部を有するカバー部材であることを特徴とする特徴Ａ３に記載の遊技機。
【０２６３】
特徴Ａ４によれば、カバー部材を設けるという比較的簡素な構成により、上記特徴Ａ１又はＡ２の優れた効果を奏することができる。また、本構成によれば、カバー部材において電子タグを外側から保護する機能が果たされ、制限手段の多機能化が図られる。
【０２６４】
特徴Ａ５．前記カバー部材は、前記監視対象に対して取付部（爪部１９２、受け部１９３）を介して取り付けられており、
当該取付部は、前記カバー部材の取り外しを不可とするように、取り外しをしづらくするように、又は取り外しに際して前記取付部若しくは前記カバー部材の破壊を要するように形成されていることを特徴とする特徴Ａ４に記載の遊技機。
【０２６５】
特徴Ａ５によれば、カバー部材により電子タグに対する不正を行いづらくする機能が果たされる。これにより、カバー部材の多機能化が図られる。
【０２６６】
特徴Ａ６．前記監視対象において前記電子タグが設けられた領域は他の遊技機構成部品（音声ランプ制御装置６６、払出制御装置８２）と並ぶようにして配置されているとともに、前記他の遊技機構成部品と並ばない向きの少なくとも一部の向きとして前記特定の向きが設定されていることを特徴とする特徴Ａ３乃至Ａ５のいずれか１に記載の遊技機。
【０２６７】
特徴Ａ６によれば、他の遊技機構成部品に対して他の遊技機構成部品が並設された構成においては、リーダ装置による読み取り作業を他の遊技機構成部品側から行いづらくなる。そして、特定の向きは、他の遊技機構成部品と並ばない向きとして設定されている。つまり、特定の向きは遊技ホールの管理者等にとって読み取り作業を行い易い位置として設定されているため、遊技ホールの管理者等が電子タグに対して特定の向き以外から読み取り作業を行ってしまう可能性が低減される。
【０２６８】
特徴Ａ７．前記監視対象において前記電子タグが設けられた領域は他の遊技機構成部品と並ぶようにして配置されているとともに、当該他の遊技機構成部品と並ばない向きとして、前記特定の向きである第１の向きと、当該第１の向きとは異なる向きである第２の向きとが少なくとも存在しており、
前記離間壁部として、前記電子タグから前記第１の向きに前記予め定められた距離以上離れた位置に配置され前記電波を透過可能に形成された第１離間壁部（第１離間壁部１９４）と、前記電子タグから前記第２の向きに前記予め定められた距離以上離れた位置に配置され前記電波を透過可能に形成された第２離間壁部（第２離間壁部１９５）と、を備えていることを特徴とする特徴Ａ３乃至Ａ６のいずれか１に記載の遊技機。
【０２６９】
特徴Ａ７によれば、読み取り作業に際して他の遊技機構成部品に邪魔されない第１の向き及び第２の向きのそれぞれに対応させて第１離間壁部と第２離間壁部とが設けられているため、識別情報の読み取り作業が電子タグに対して予め定められた距離以上離れた位置以外の位置にて行われる可能性が低減される。
【０２７０】
特徴Ａ８．所定の面側に搭載面が形成された搭載部（樹脂ベース３１、遊技盤３３）を備え、前記搭載面には前記監視対象が搭載されており、
前記特定の向きは、前記電子タグを基準として前記搭載部側とは反対側の向きであることを特徴とする特徴Ａ３乃至Ａ５のいずれか１に記載の遊技機。
【０２７１】
特徴Ａ８によれば、特定の向きが電子タグを基準として搭載部側とは反対側の向きとして設定されているため、遊技ホールの管理者等にとっては特定の向きが読み取り作業を行い易い向きとなる。よって、識別情報の読み取り作業が電子タグに対して予め定められた距離以上離れた位置以外の位置にて行われる可能性が低減される。
【０２７２】
特徴Ａ９．前記搭載面には前記監視対象が搭載されているとともに、当該監視対象と前記搭載面上において並ぶように他の遊技機構成部品（音声ランプ制御装置６６、払出制御装置８２）が搭載されており、
前記離間壁部として、前記特定の向きである第１の向きに前記予め定められた距離以上離れた位置に配置され、前記電波を透過可能に形成された第１離間壁部と、前記監視対象において前記電子タグが設けられた領域が前記搭載面上において前記他の遊技機構成部品と並ばない第２の向きに前記予め定められた距離以上離れた位置に配置され、前記電波を透過可能に形成された第２離間壁部と、を備えていることを特徴とする特徴Ａ８に記載の遊技機。
【０２７３】
特徴Ａ９によれば、読み取り作業に際して他の遊技機構成部品に邪魔されない第１の向き及び第２の向きのそれぞれに対応させて第１離間壁部と第２離間壁部とが設けられているため、識別情報の読み取り作業が電子タグに対して予め定められた距離以上離れた位置以外の位置にて行われる可能性が低減される。
【０２７４】
特徴Ａ１０．前記制限手段は、前記監視対象が搭載される搭載面が形成された搭載部（樹脂ベース３１、遊技盤３３）を備えており、
前記特定の向きは、前記搭載部を基準として前記搭載面側とは反対側から前記リーダ装置による識別情報の読み取りを行う向きであり、
前記搭載面側とは反対側の領域から前記電子タグに対して前記リーダ装置を近付けることができる最短距離が前記予め定められた距離以上となるように前記搭載部が形成されていることを特徴とする特徴Ａ１又はＡ２に記載の遊技機。
【０２７５】
特徴Ａ１０によれば、搭載面側とは反対側の領域から電子タグに対してリーダ装置を近付けることができる最短距離が予め定められた距離以上となるように搭載部を形成するという比較的簡素な構成により、上記特徴Ａ１又はＡ２の優れた効果を奏することができる。
【０２７６】
特徴Ａ１１．前記制限手段は、前記搭載面側において前記電子タグが設置された領域の周囲であって前記電子タグから前記搭載部に向けた側以外の位置に配置され、前記電波を透過不可とする又は透過しづらくする規制壁部（壁部２４２）を有していることを特徴とする特徴Ａ１０に記載の遊技機。
【０２７７】
特徴Ａ１１によれば、規制壁部が設けられていることにより、リーダ装置による読み取り作業が搭載面側から行われてしまうことが規制される。
【０２７８】
特徴Ａ１２．支持対象（外枠１１）に対して開閉可能に支持されているとともに、前記搭載面側が背面側となるようにして前記搭載部を有する開閉体（内枠１３）を備えていることを特徴とする特徴Ａ８乃至Ａ１１のいずれか１に記載の遊技機。
【０２７９】
特徴Ａ１２の構成を、特徴Ａ８に対して適用した場合、遊技ホールの管理者等にとっては開閉体を開放操作するだけで、制限手段により制限された位置にリーダ装置を簡単に持って行くことができる。
【０２８０】
また、特徴Ａ１２の構成を、特徴Ａ１０に対して適用した場合、遊技ホールの管理者等にとっては開閉体の開放操作を行うことなく、制限手段により制限された位置にリーダ装置を簡単に持って行くことができる。
【０２８１】
なお、開閉体を支持対象に対して閉鎖した状態で施錠するとともに解錠キーによる解錠操作に応じて施錠状態を解除し前記開閉体を開放可能とする施錠手段を備えていてもよい。この場合、不正行為者にとって監視対象へのアクセスを行いづらくしながら、上記効果を奏することができる。
【０２８２】
特徴Ａ１３．前記監視対象は、制御基板（主制御基板１０１）と、複数の構成体が組み合わされて形成され前記制御基板を収容する基板ボックス（基板ボックス１０２）と、を有する制御装置（主制御装置９２）であり、
前記アンテナ部は、前記複数の構成体のうち、隣接させて設けられ相互に分離させることで前記基板ボックスの内部空間を開放させることが可能となる第１構成体（表側構成体１１１）及び第２構成体（裏側構成体１１２）の境界を跨ぐようにして配置されていることを特徴とする特徴Ａ１乃至Ａ１２のいずれか１に記載の遊技機。
【０２８３】
特徴Ａ１３によれば、基板ボックスが不正開放されたか否かの監視において、上記特徴Ａ１又はＡ２の優れた効果を奏することができる。
【０２８４】
特徴Ａ１４．前記アンテナ部又は前記電子タグを支持するベースシートの少なくとも一方に設けられ、前記アンテナ部を前記監視対象から分離させる場合にその応力に伴い自身が破壊されることに伴って前記アンテナ部を切断させることを可能とする易切断部（アンテナ用切り込み１７６）を備えていることを特徴とする特徴Ａ１乃至Ａ１３のいずれか１に記載の遊技機。
【０２８５】
特徴Ａ１４によれば、監視対象の一部の分離が行われる場合又は監視対象の設置箇所からの移動が行われる場合に、アンテナ部の切断が発生し易くなる。そして、本構成に対して、上記特徴Ａ１又はＡ２等の構成を適用することで、監視対象を好適に管理することができる。
【０２８６】
特徴Ａ１５．前記予め定められた距離は、前記易切断部の破壊を通じた前記アンテナ部の切断が生じていない状況における前記電子タグの通信可能限界距離よりも短く、前記易切断部の破壊を通じて前記アンテナ部が切断された状況における前記電子タグの通信可能限界距離と略同一又はそれよりも長い距離となるように設定されていることを特徴とする特徴Ａ１４に記載の遊技機。
【０２８７】
特徴Ａ１５によれば、監視対象の一部の分離が行われる場合又は監視対象の設置箇所からの移動が行われる場合に、アンテナ部の切断が発生し易くなり、さらにその切断が生じた場合には制限手段により制限された位置にてリーダ装置による読み取り作業を行うことで識別情報を読み取ることができなくなる。よって、上記特徴Ａ１又はＡ２の効果を生じ易くなる。
【０２８８】
特徴Ｂ１．固有の識別情報を記憶した記憶部（ＩＣチップ１７１）と、所定の長さ寸法を有するとともに前記識別情報を含む電波を発信するアンテナ部（アンテナ部材１７２）と、を備えた電子タグ（ＩＣタグ１６３）を有し、
一方の面に粘着層（粘着層１６２）を有し且つ貼付領域から剥がされる際にその応力に伴い自身が破壊されるような脆弱性を有するベースシート（ベースシート１６１）の粘着層側に前記電子タグが取り付けられていることでシール部材（封印シール１６０）が構成されているとともに、当該シール部材は監視対象（主制御装置９２）の所定の境界（境界１３６）を跨ぐようにして貼り付けられており、
さらに、前記境界における前記シール部材が貼り付けられた境界特定領域において曲がり部が生じるように前記境界が形成されていることを特徴とする遊技機。
【０２８９】
特徴Ｂ１によれば、電子タグが設けられていることにより、遊技ホールの管理者等は電子タグから正規の識別情報を受信することができるか否かを確認することで、監視対象を好適に管理することができる。
【０２９０】
本構成において、監視対象における所定の境界を跨ぐようにシール部材が貼り付けられているため、監視対象の境界に対して細工を行うことにより不正行為を行う際には境界特定領域を露出させるべく、境界特定領域に沿ってシール部材を切断する又はシール部材を剥がす必要が生じる。これに対して、境界特定領域は曲がり部が生じるように形成されているため、当該境界特定領域に沿ってシール部材を切断すると、境界特定領域が一直線状である構成に比べ切断領域が広範囲になるとともに切断作業も行いづらくなる。その一方、シール部材を剥がそうとすると、剥がしている途中にてシール部材が破れてしまうことが考えられ、シール部材が破れた場合にはそれに伴ってアンテナ部が切断されることが期待される。よって、本構成によれば、電子タグ付きのシール部材を貼り付けることによる不正発見効果が高められる。
【０２９１】
なお、長尺状をなすアンテナ部を直線状、略直線状又は弧状に曲げた状態でベースシートに貼り付けることでシール部材を形成してもよい。この場合、ベースシートが破れた場合にそれに追随してアンテナ部が切断され易くなる。
【０２９２】
また、「所定の境界」には、複数の遊技機構成部品間の境界が含まれるとともに、監視対象の表面に形成され切断することにより監視対象の内部空間を開放させることを可能とする易切断部も含まれる。
【０２９３】
特徴Ｂ２．固有の識別情報を記憶した記憶部（ＩＣチップ１７１）と、所定の長さ寸法を有するとともに前記識別情報を含む電波を発信するアンテナ部（アンテナ部材１７２）と、を備えた電子タグ（ＩＣタグ１６３）を有し、
一方の面に粘着層（粘着層１６２）を有し且つ貼付領域から剥がされる際にその応力に伴い自身が破壊されるような脆弱性を有するベースシート（ベースシート１６１）の粘着層側に前記電子タグが取り付けられていることでシール部材（封印シール１６０）が構成されているとともに、当該シール部材は、複数の遊技機構成部品（表側構成体１１１、裏側構成体１１２）間の境界（境界１３６）を跨ぐようにして貼り付けられており、
さらに、前記境界における少なくとも前記シール部材が貼り付けられた境界特定領域において曲がり部が生じるように、前記複数の遊技機構成部品が設けられていることを特徴とする遊技機。
【０２９４】
特徴Ｂ２によれば、電子タグが設けられていることにより、遊技ホールの管理者等は電子タグから正規の識別情報を受信することができるか否かを確認することで、監視対象を好適に管理することができる。
【０２９５】
本構成において、複数の遊技機構成部品間の境界を跨ぐようにシール部材が貼り付けられているため、複数の遊技機構成部品の一部を相対移動させる際には境界特定領域を露出させるべく、境界特定領域に沿ってシール部材を切断する又はシール部材を剥がす必要が生じる。これに対して、境界特定領域は曲がり部が生じるように形成されているため、当該境界特定領域に沿ってシール部材を切断すると、境界特定領域が一直線状である構成に比べ切断領域が広範囲になるとともに切断作業も行いづらくなる。その一方、シール部材を剥がそうとすると、剥がしている途中にてシール部材が破れてしまうことが考えられ、シール部材が破れた場合にはそれに伴ってアンテナ部が切断されることが期待される。よって、本構成によれば、電子タグ付きのシール部材を貼り付けることによる不正発見効果が高められる。
【０２９６】
なお、長尺状をなすアンテナ部を直線状、略直線状又は弧状に曲げた状態でベースシートに貼り付けることでシール部材を形成してもよい。この場合、ベースシートが破れた場合にそれに追随してアンテナ部が切断され易くなる。
【０２９７】
特徴Ｂ３．前記アンテナ部には、破壊された場合に前記識別情報を含む電波の発信を不可とする不可状態発生部（スリット１７３）が形成されていることを特徴とする特徴Ｂ１又はＢ２に記載の遊技機。
【０２９８】
特徴Ｂ３によれば、シール部材を貼付領域から剥がしている途中にてシール部材が破れた場合に、それに伴って、アンテナ部における不可状態発生部が形成された領域が破壊されることが期待される。この場合、遊技ホールの管理者等にとっては識別情報の読み取り作業を行えないことを把握することで、監視対象に対して不正行為が行われたことを容易に認識することができる。
【０２９９】
特徴Ｂ４．前記アンテナ部は、前記不可状態発生部が前記境界特定領域を跨ぐようにして配置されていることを特徴とする特徴Ｂ３に記載の遊技機。
【０３００】
特徴Ｂ４によれば、シール部材が境界特定領域に沿って切断された場合にはそれに伴って不可状態発生部が破壊されることとなり、遊技ホールの管理者等にとっては識別情報の読み取り作業を行えないことを把握することで容易に不正行為の発生を認識することができる。また、境界特定領域を露出させるためにシール部材が剥がされた場合であっても、境界特定領域の全体を露出させるためにはシール部材において不可状態発生部が配置された領域を剥がす必要が生じる。そうすると、シール部材の破れに伴う不可状態発生部の破壊が期待され、遊技ホールの管理者等にとっては識別情報の読み取り作業を行えないことを把握することで容易に不正行為の発生を認識することができる。
【０３０１】
特徴Ｂ５．前記ベースシート又は前記アンテナ部の少なくとも一方に設けられ、前記シール部材を貼付領域から剥がす際にその応力により自身が破壊されることに伴って前記アンテナ部において前記不可状態発生部が形成された領域を破壊させる易破壊部（アンテナ用切り込み１７６）を備えていることを特徴とする特徴Ｂ３又はＢ４に記載の遊技機。
【０３０２】
特徴Ｂ５によれば、易破壊部が設けられていることにより、シール部材が剥がされた場合に不可状態発生部の破壊が生じる可能性が高められる。
【０３０３】
なお、「易破壊部」は、「前記ベースシート又は前記アンテナ部の少なくとも一方に設けられ、前記不可状態発生部に向けて延び、前記シール部材を貼付領域から剥がす際にその応力が前記不可状態発生部側の端部に集中して自身が破壊されることに伴って前記アンテナ部において前記不可状態発生部が形成された領域を破壊させる破壊用切り込み（アンテナ用切り込み１７６）」であってもよい。
【０３０４】
特徴Ｂ６．前記シール部材は、前記易破壊部が前記境界特定領域を跨ぐようにして配置されていることを特徴とする特徴Ｂ５に記載の遊技機。
【０３０５】
特徴Ｂ６によれば、シール部材において境界特定領域を挟んで対向する両対向端部のうちいずれからシール部材が剥がされたとしても、易破壊部を通じた不可状態発生部の破壊が生じ得る。これにより、境界特定領域を露出させるべくシール部材が剥がされた場合に不可状態発生部の破壊が生じ易くなる。
【０３０６】
特徴Ｂ７．前記アンテナ部は長尺状に形成されているとともに、前記不可状態発生部は前記アンテナ部の幅方向の途中位置に形成されており、
前記易破壊部は前記アンテナ部の幅方向の一端側に形成されているとともに他端側にも形成されていることを特徴とする特徴Ｂ５又はＢ６に記載の遊技機。
【０３０７】
特徴Ｂ７によれば、易破壊部がアンテナ部の幅方向の両端に対して形成されているため、シール部材が剥がされた場合に易破壊部を通じた不可状態発生部の破壊が生じ易くなる。
【０３０８】
特徴Ｂ８．前記シール部材は、前記一端側の易破壊部と前記他端側の易破壊部とにより前記境界特定領域の少なくとも一部を間に挟むようにして配置されていることを特徴とする特徴Ｂ７に記載の遊技機。
【０３０９】
特徴Ｂ８によれば、シール部材において境界特定領域を挟んで対向する両対向端部のうちいずれからシール部材が剥がされたとしても、易破壊部を通じた不可状態発生部の破壊が生じ得る。これにより、境界特定領域を露出させるべくシール部材が剥がされた場合に不可状態発生部の破壊が生じ易くなる。
【０３１０】
特徴Ｂ９．前記一端側の易破壊部と前記他端側の易破壊部とが前記幅方向に並ばないように形成されていることを特徴とする特徴Ｂ７又はＢ８に記載の遊技機。
【０３１１】
特徴Ｂ９によれば、易破壊部を通じて不可状態発生部の破壊が生じ易くなるようにした構成において、シール部材を貼付領域に対して正規に貼り付ける際に誤って不可状態発生部が破壊されてしまう可能性が低減される。
【０３１２】
特徴Ｂ１０．前記易破壊部は前記ベースシートにおける前記アンテナ部が配置された領域において前記アンテナ部の幅方向の途中位置から当該アンテナ部の外方に亘って形成されていることを特徴とする特徴Ｂ５乃至Ｂ９のいずれか１に記載の遊技機。
【０３１３】
特徴Ｂ１０によれば、易破壊部を通じてシール部材が破れた場合には、その破れ領域はシール部材において不可状態発生部が設けられた領域に容易に達するため、易破壊部を通じた不可状態発生部の破壊が生じ易くなる。
【０３１４】
特徴Ｂ１１．前記易破壊部は前記ベースシートに形成されており前記アンテナ部には形成されていないことを特徴とする特徴Ｂ５乃至Ｂ１０のいずれか１に記載の遊技機。
【０３１５】
特徴Ｂ１１によれば、易破壊部を通じて不可状態発生部の破壊が生じ易くなるようにした構成において、シール部材を貼付領域に対して正規に貼り付ける際に誤って不可状態発生部が破壊されてしまう可能性が低減される。
【０３１６】
特徴Ｂ１２．前記易破壊部は、前記アンテナ部において前記不可状態発生部が形成された領域とは異なる領域に対しても形成されていることを特徴とする特徴Ｂ５乃至Ｂ１１のいずれか１に記載の遊技機。
【０３１７】
特徴Ｂ１２によれば、シール部材が貼付領域から剥がされた場合には、易破壊部を通じてアンテナ部において不可状態発生部が形成された領域の破壊が期待されるだけでなく、易破壊部を通じてアンテナ部において不可状態発生部が形成された領域以外の切断も期待される。
【０３１８】
特徴Ｂ１３．前記境界特定領域は一連のライン状に形成されているとともに、相互に対向する一対のライン部（第２ライン１４６、第４ライン１４８）を備えており、
前記不可状態発生部の少なくとも一部は、前記一対のライン部間の領域に配置されていることを特徴とする特徴Ｂ３乃至Ｂ１２のいずれか１に記載の遊技機。
【０３１９】
特徴Ｂ１３によれば、不可状態発生部の少なくとも一部が相互に対向する一対のライン部間の領域に配置されているため、シール部材が同一方向に剥がされる場合にはその剥がされる方向がいずれの方向であったとしても、境界特定領域の全体を露出させるためには、シール部材において不可状態発生部が配置された領域が剥がされることとなる。これにより、シール部材が剥がされる際に不可状態発生部において破壊が生じる可能性が高められる。その一方、剥がす方向を境界特定領域の形状に合わせて変更しながらシール部材が剥がされる場合、その剥がし行為は煩雑なものとなる。また、この場合、剥がす際にシール部材に生じる折れ目が複雑なものとなることでシール部材に大きな負荷がかかり易くなり、それに伴ってシール部材に破れが生じ易くなる。
【０３２０】
特徴Ｂ１４．前記境界特定領域は、第１ライン部（第１ライン１４５）と、当該第１ライン部とは異なる方向に延びる中間ライン部（第２ライン１４６）を介して前記第１ライン部に連続し、前記中間ライン部を基準として前記第１ライン部側とは反対側に向けて延びる第２ライン部（第３ライン１４７）と、を備えており、
前記シール部材の周縁部には、前記第１ライン部及び前記第２ライン部のうち前記第１ライン部に近い位置に配置された第１周縁部と、前記第１ライン部及び前記第２ライン部のうち前記第２ライン部に近い位置に配置された第２周縁部と、を備え、前記シール部材は前記第１周縁部と前記第２周縁部とにより前記境界特定領域を間に挟むようにして配置されており、
前記不可状態発生部の少なくとも一部は、前記第１ライン部よりも前記第２周縁部側であって前記第２ライン部よりも前記第１周縁部側に配置されていることを特徴とする特徴Ｂ３乃至Ｂ１３のいずれか１に記載の遊技機。
【０３２１】
特徴Ｂ１４によれば、不可状態発生部の少なくとも一部が、第１ライン部よりも第２周縁部側であって第２ライン部よりも第１周縁部側に配置されているため、シール部材が同一方向に剥がされる場合にはその剥がされる方向がいずれの方向であったとしても、境界特定領域の全体を露出させるためには、シール部材において不可状態発生部が配置された領域が剥がされることとなる。これにより、シール部材が剥がされる際に不可状態発生部において破壊が生じる可能性が高められる。その一方、剥がす方向を境界特定領域の形状に合わせて変更しながらシール部材が剥がされる場合、その剥がし行為は煩雑なものとなる。また、この場合、剥がす際にシール部材に生じる折れ目が複雑なものとなることでシール部材に大きな負荷がかかる易くなり、それに伴ってシール部材に破れが生じ易くなる。
【０３２２】
特徴Ｂ１５．前記電子タグは、前記記憶部から読み取った識別情報を含む電波を前記アンテナ部から発信させる制御部を備えており、
前記不可状態発生部は、前記アンテナ部と前記制御部との間でインピーダンス整合を行う回路を構成していることを特徴とする特徴Ｂ３乃至Ｂ１４のいずれか１に記載の遊技機。
【０３２３】
特徴Ｂ１５によれば、アンテナ部と制御部との間で不可状態発生部を通じてインピーダンス整合が行われることにより識別情報を含む電波の発信が良好に行われるとともに、当該不可状態発生部が破壊された場合にはインピーダンス整合が行われなくなることで識別情報を含む電波の発信が不可となる。
【０３２４】
特徴Ｂ１６．前記境界特定領域は、前記ベースシートにおいて相互に対向する第１周縁部と第２周縁部との間に亘って配置されているとともに、前記ベースシートにおいて前記第１周縁部及び前記第２周縁部とは異なる周縁部であって相互に対向する一対の第３周縁部及び第４周縁部のうち少なくとも一方に向けて延びるラインが生じるように曲がり部が形成されていることを特徴とする特徴Ｂ１乃至Ｂ１５のいずれか１に記載の遊技機。
【０３２５】
特徴Ｂ１６によれば、境界特定領域が形成される範囲を好適に広くすることが可能となる。
【０３２６】
特徴Ｂ１７．前記境界特定領域は、それぞれ異なる方向に延びる複数のライン部を備えており、
前記シール部材は、前記アンテナ部が前記複数のライン部の少なくとも一部であって複数のライン部を跨ぐように貼り付けられていることを特徴とする特徴Ｂ１乃至Ｂ１６のいずれか１に記載の遊技機。
【０３２７】
特徴Ｂ１７によれば、境界特定領域に沿ってシール部材が切断された場合には、アンテナ部が複数箇所にて切断されることとなる。そして、アンテナ部の長さ寸法がある程度短くなると、電子タグは通信不可となる。これにより、境界特定領域に沿ってシール部材が切断された場合には、遊技ホールの管理者等にとっては識別情報の読み取りを行えないことを把握することで不正行為を容易に発見することができる。
【０３２８】
特徴Ｂ１８．前記監視対象は、複数の遊技機構成部品として第１遊技機構成部品（表側構成体１１１）と第２遊技機構成部品（裏側構成体１１２）とを備えており、
前記第１遊技機構成部品の周縁部に設けられた第１貼付部（表側固定ベース部１３１）と、前記第２遊技機構成部品の周縁部に設けられた第２貼付部（裏側固定ベース部１３２）とが重ね合わせられることにより形成された境界を跨ぐようにして前記シール部材が貼り付けられており、
さらに、前記第１貼付部及び前記第２貼付部の両者に挿通され境界を跨ぐようにして配置されていることにより、前記第１貼付部と前記第２貼付部とを結合する結合具（破断ネジ１５３）を備えていることを特徴とする特徴Ｂ１乃至Ｂ１７のいずれか１に記載の遊技機。
【０３２９】
特徴Ｂ１８によれば、第１貼付部と第２貼付部との境界を通じて切断用工具を挿入し、結合具を切断しようとする行為が想定されるが、境界特定領域に曲がり部が形成されていることにより切断用工具を挿入しづらくなっている。
【０３３０】
特徴Ｂ１９．前記監視対象は、複数の遊技機構成部品として第１遊技機構成部品（表側構成体１１１）と第２遊技機構成部品（裏側構成体１１２）とを備えており、
前記第１遊技機構成部品の周縁部に設けられた第１貼付部（表側固定ベース部１３１）と、前記第２遊技機構成部品の周縁部に設けられた第２貼付部（裏側固定ベース部１３２）とが重ね合わせられることにより形成された境界を跨ぐようにして前記シール部材が貼り付けられており、
前記第１遊技機構成部品と前記第２遊技機構成部品とを分離させる場合に前記第１貼付部と前記第２貼付部との重ね合わせ方向に対して交差する方向に前記両遊技機構成部品を相対移動させる必要があるように分離方向を規制する規制手段（フック部１１８、スリット１１９）を備えていることを特徴とする特徴Ｂ１乃至Ｂ１８のいずれか１に記載の遊技機。
【０３３１】
特徴Ｂ１９によれば、第１遊技機構成部品と第２遊技機構成部品とを分離させるために第１貼付部と第２貼付部との重ね合わせ方向に対して交差する方向に両遊技機構成部品を相対移動させる上では、境界特定領域を跨ぐようにして貼り付けられているシール部材が邪魔となる。この場合に、上記特徴Ｂ１等の構成を備えていることにより、シール部材の切断行為が行いづらくなるとともに、シール部材を剥がした場合には識別情報の読み取りが不可となることが期待される。
【０３３２】
特徴Ｂ２０．前記監視対象は、複数の遊技機構成部品として第１遊技機構成部品（表側構成体１１１）と第２遊技機構成部品（裏側構成体１１２）とを備えており、
前記第１遊技機構成部品の周縁部に設けられた第１貼付部（表側固定ベース部１３１）と、前記第２遊技機構成部品の周縁部に設けられた第２貼付部（裏側固定ベース部１３２）とが重ね合わせられて形成された領域により前記シール部材の貼付領域が形成されており、
前記第１貼付部は前記第２貼付部との重なり側から凹む凹み領域（凹み領域１４２）を備えているとともに、前記第２貼付部は前記凹み領域に入り込み前記凹み領域が両貼付部の周面において開放されないように覆う凸壁部（突出壁部１４４）を備えており、
前記凹み領域に前記凸壁部が入り込むことで前記境界に曲がり部が生じているとともに、当該境界を跨ぐようにして前記シール部材が貼り付けられており、
さらに、前記第１遊技機構成部品と前記第２遊技機構成部品とを分離させる場合に前記第１貼付部と前記第２貼付部との重ね合わせ方向に対して交差する方向に前記両遊技機構成部品を相対移動させる必要があるように分離方向を規制する規制手段（フック部１１８、スリット１１９）と、
当該規制手段により規制されて両遊技機構成部品が相対移動する場合の前記凸壁部の移動経路上に突出するように前記凹み領域に設けられた係止部（引っ掛け部１５５）と、
を備えていることを特徴とする特徴Ｂ１乃至Ｂ１９のいずれか１に記載の遊技機。
【０３３３】
特徴Ｂ２０によれば、第１貼付部の凹み領域に係止部が設けられていることにより、両遊技機構成部品を規制手段により規制された方向に相対移動させようとしても係止部が凸壁部と当たり当該相対移動が阻止される。これにより、第１遊技機構成部品と第２遊技機構成部品とを分離して所定の不正を行おうとしてもそれが難しくなる。そして、凹み領域に凸壁部が入り込むことで境界に曲がり部が生じている。つまり、本構成によれば第１遊技機構成部品と第２遊技機構成部品との分離を阻止する構成を利用して、境界に曲がり部を生じさせることができる。
【０３３４】
特徴Ｂ２１．前記シール部材が貼り付けられる貼付領域を囲むようにして形成され、前記シール部材の貼付位置をガイドする囲み部（囲み部１８０）を備えていることを特徴とする特徴Ｂ１乃至Ｂ２０のいずれか１に記載の遊技機。
【０３３５】
特徴Ｂ２１によれば、囲み部に囲まれた領域にシール部材を貼り付けることで、境界とシール部材との位置関係や境界とアンテナ部との位置関係が自ずと所定の位置関係となる。これにより、シール部材を貼り付ける場合の作業性を向上させることができる。
【０３３６】
なお、「囲み部」を貼付領域から突出した囲み枠として形成してもよい。この場合、不正を行うべくシール部材を剥がそうとしても、囲み枠によってその剥がし行為が行いづらくなる。そうすると、シール部材に複雑な応力がかかり易くなり、シール部材に破れが生じ易くなるとともに、それに伴ってアンテナ部が切断され易くなる。
【０３３７】
ちなみに、上記特徴Ｂ１乃至Ｂ２１のいずれか１にて限定した構成を、上記特徴Ａ１乃至Ａ１５のいずれか１に対して適用してもよい。この場合、各構成に起因する相乗的な効果を奏し得る。
【０３３８】
特徴Ｃ１．固有の識別情報を記憶した記憶部（ＩＣチップ１７１）と、前記識別情報を含む電波を発信するアンテナ部（アンテナ部材１７２）と、を備えた電子タグ（ＩＣタグ１６３）を有し、
一方の面に粘着層（粘着層１６２）を有するベースシート（ベースシート１６１）の粘着層側に前記電子タグが取り付けられていることでシール部材（封印シール１６０）が構成されているとともに、当該シール部材は監視対象（主制御装置９２）に対して貼り付けられており、
さらに、前記アンテナ部に設けられ、破壊された場合に前記識別情報を含む電波の発信を不可とする不可状態発生部（スリット１７３）と、
前記ベースシート又は前記アンテナ部の少なくとも一方に設けられ、前記シール部材を貼付領域から剥がす際にその応力により自身が破壊されることに伴って前記アンテナ部において前記不可状態発生部が形成された領域を破壊させる易破壊部（アンテナ用切り込み１７６）と、
を備えていることを特徴とする遊技機。
【０３３９】
特徴Ｃ１によれば、電子タグが設けられていることにより、遊技ホールの管理者等は電子タグから正規の識別情報を受信することができるか否かを確認することで、監視対象を好適に管理することができる。
【０３４０】
本構成において、監視対象に対して不正を行うべくシール部材が剥がされた場合には易破壊部を通じて不可状態発生部が破壊されることが期待される。そして、不可状態発生部が破壊された場合には、遊技ホールの管理者等にとっては識別情報の読み取り作業を行えないことを把握することで容易に不正行為の発生を認識することができる。
【０３４１】
なお、「易破壊部」は、「前記ベースシート又は前記アンテナ部の少なくとも一方に設けられ、前記不可状態発生部に向けて延び、前記シール部材を貼付領域から剥がす際にその応力が前記不可状態発生部側の端部に集中して自身が破壊されることに伴って前記アンテナ部において前記不可状態発生部が形成された領域を破壊させる破壊用切り込み（アンテナ用切り込み１７６）」であってもよい。
【０３４２】
特徴Ｃ２．前記シール部材は前記アンテナ部において前記不可状態発生部が設けられた領域が前記監視対象における所定の境界（境界１３６）を跨ぐようにして貼り付けられていることを特徴とする特徴Ｃ１に記載の遊技機。
【０３４３】
特徴Ｃ２によれば、監視対象における所定の境界を跨ぐようにシール部材が貼り付けられているため、監視対象の境界に対して細工を行うことにより不正行為を行う際には境界を露出させるべく、境界に沿ってシール部材を切断する又はシール部材を剥がす必要が生じる。この場合に、シール部材が境界に沿って切断された場合にはそれに伴って不可状態発生部が破壊されることとなり、遊技ホールの管理者等にとっては識別情報の読み取り作業を行えないことを把握することで容易に不正行為の発生を認識することができる。また、境界を露出させるためにシール部材が剥がされた場合であっても、境界の全体を露出させるためにはシール部材において不可状態発生部が配置された領域を剥がす必要が生じる。そうすると、破壊用切り込みを通じた不可状態発生部の破壊が期待され、遊技ホールの管理者等にとっては識別情報の読み取り作業を行えないことを把握することで容易に不正行為の発生を認識することができる。
【０３４４】
なお、「所定の境界」には、複数の構成部品間の境界が含まれるとともに、監視対象の表面に形成され切断することにより監視対象の内部空間を開放させることを可能とする易切断部も含まれる。これは以下も同様である。
【０３４５】
特徴Ｃ３．前記シール部材は前記易破壊部が前記監視対象における所定の境界（境界１３６）を跨ぐようにして貼り付けられていることを特徴とする特徴Ｃ１又はＣ２に記載の遊技機。
【０３４６】
特徴Ｃ３によれば、シール部材において境界を挟んで対向する両対向端部のうちいずれからシール部材が剥がされたとしても、易破壊部を通じた不可状態発生部の破壊が生じ得る。これにより、境界を露出させるべくシール部材が剥がされた場合に不可状態発生部の破壊が生じ易くなる。
【０３４７】
特徴Ｃ４．前記アンテナ部は長尺状に形成されているとともに、前記不可状態発生部は前記アンテナ部の幅方向の途中位置に形成されており、
前記易破壊部は前記アンテナ部の幅方向の一端側に形成されているとともに他端側にも形成されていることを特徴とする特徴Ｃ１乃至Ｃ３のいずれか１に記載の遊技機。
【０３４８】
特徴Ｃ４によれば、易破壊部がアンテナ部の幅方向の両端に対して形成されているため、シール部材が剥がされた場合に易破壊部を通じた不可状態発生部の破壊が生じ易くなる。
【０３４９】
特徴Ｃ５．前記シール部材は前記一端側の易破壊部と前記他端側の易破壊部とにより前記監視対象における所定の境界（境界１３６）の少なくとも一部を間に挟むようにして貼り付けられていることを特徴とする特徴Ｃ４に記載の遊技機。
【０３５０】
特徴Ｃ５によれば、シール部材において境界を挟んで対向する両対向端部のうちいずれからシール部材が剥がされたとしても、易破壊部を通じた不可状態発生部の破壊が生じ得る。これにより、境界を露出させるべくシール部材が剥がされた場合に不可状態発生部の破壊が生じ易くなる。
【０３５１】
特徴Ｃ６．前記一端側の易破壊部と前記他端側の易破壊部とが前記幅方向に並ばないようにそれら易破壊部が形成されていることを特徴とする特徴Ｃ４又はＣ５に記載の遊技機。
【０３５２】
特徴Ｃ６によれば、易破壊部を通じて不可状態発生部の破壊が生じ易くなるようにした構成において、シール部材を貼付領域に対して正規に貼り付ける際に誤って不可状態発生部が破壊されてしまう可能性が低減される。
【０３５３】
特徴Ｃ７．前記易破壊部は前記ベースシートにおける前記アンテナ部が配置された領域において前記アンテナ部の幅方向の途中位置から当該アンテナ部の外方に亘って形成されていることを特徴とする特徴Ｃ１乃至Ｃ６のいずれか１に記載の遊技機。
【０３５４】
特徴Ｃ７によれば、易破壊部を通じてシール部材が破れた場合には、その破れ領域はシール部材において不可状態発生部が設けられた領域に容易に達するため、易破壊部を通じた不可状態発生部の破壊が生じ易くなる。
【０３５５】
特徴Ｃ８．前記易破壊部は前記ベースシートに形成されており前記アンテナ部には形成されていないことを特徴とする特徴Ｃ１乃至Ｃ７のいずれか１に記載の遊技機。
【０３５６】
特徴Ｃ８によれば、易破壊部を通じて不可状態発生部の破壊が生じ易くなるようにした構成において、シール部材を貼付領域に対して正規に貼り付ける際に誤って不可状態発生部が破壊されてしまう可能性が低減される。
【０３５７】
特徴Ｃ９．前記易破壊部は、前記アンテナ部において前記不可状態発生部が形成された領域とは異なる領域に対しても形成されていることを特徴とする特徴Ｃ１乃至Ｃ８のいずれか１に記載の遊技機。
【０３５８】
特徴Ｃ９によれば、シール部材が貼付領域から剥がされた場合には、易破壊部を通じてアンテナ部において不可状態発生部が形成された領域の破壊が期待されるだけでなく、易破壊部を通じてアンテナ部において不可状態発生部が形成された領域以外の切断も期待される。
【０３５９】
特徴Ｃ１０．前記電子タグは、前記記憶部から読み取った識別情報を含む電波を前記アンテナ部から発信させる制御部を備えており、
前記不可状態発生部は、前記アンテナ部と前記制御部との間でインピーダンス整合を行う回路を構成していることを特徴とする特徴Ｃ１乃至Ｃ９のいずれか１に記載の遊技機。
【０３６０】
特徴Ｃ１０によれば、アンテナ部と制御部との間で不可状態発生部を通じてインピーダンス整合が行われることにより識別情報を含む電波の発信が良好に行われるとともに、当該不可状態発生部が破壊された場合にはインピーダンス整合が行われなくなることで識別情報を含む電波の発信が不可となる。
【０３６１】
特徴Ｃ１１．前記シール部材は前記監視対象の所定の境界（境界１３６）を跨ぐようにして貼り付けられており、
さらに、前記所定の境界における前記シール部材が貼り付けられた境界特定領域において曲がり部が生じるように前記境界が形成されていることを特徴とする特徴Ｃ１乃至Ｃ１０のいずれか１に記載の遊技機。
【０３６２】
特徴Ｃ１１によれば、監視対象における所定の境界を跨ぐようにシール部材が貼り付けられているため、監視対象の境界に対して細工を行うことにより不正行為を行う際には境界特定領域を露出させるべく、境界特定領域に沿ってシール部材を切断する又はシール部材を剥がす必要が生じる。これに対して、境界特定領域は曲がり部が生じるように形成されているため、当該境界特定領域に沿ってシール部材を切断すると、境界特定領域が一直線状である構成に比べ切断領域が広範囲になるとともに切断作業も行いづらくなる。その一方、シール部材が剥がされた場合には易破壊部を通じて不可状態発生部が破壊されることが期待される。そして、不可状態発生部が破壊された場合には、遊技ホールの管理者等にとっては識別情報の読み取り作業を行えないことを把握することで容易に不正行為の発生を認識することができる。よって、本構成によれば、電子タグ付きのシール部材を貼り付けることによる不正発見効果が高められる。
【０３６３】
特徴Ｃ１２．前記境界特定領域は一連のライン状に形成されているとともに、相互に対向する一対のライン部（第２ライン１４６、第４ライン１４８）を備えており、
前記不可状態発生部の少なくとも一部は、前記一対のライン部間の領域に配置されていることを特徴とする特徴Ｃ１１に記載の遊技機。
【０３６４】
特徴Ｃ１２によれば、不可状態発生部の少なくとも一部が相互に対向する一対のライン部間の領域に配置されているため、シール部材が同一方向に剥がされる場合にはその剥がされる方向がいずれの方向であったとしても、境界特定領域の全体を露出させるためには、シール部材において不可状態発生部が配置された領域が剥がされることとなる。これにより、シール部材が剥がされる際に不可状態発生部において破壊が生じる可能性が高められる。その一方、剥がす方向を境界特定領域の形状に合わせて変更しながらシール部材が剥がされる場合、その剥がし行為は煩雑なものとなる。また、この場合、剥がす際にシール部材に生じる折れ目が複雑なものとなることでシール部材に大きな負荷がかかり易くなり、それに伴ってシール部材に破れが生じ易くなる。
【０３６５】
特徴Ｃ１３．前記境界特定領域は、第１ライン部（第１ライン１４５）と、当該第１ライン部とは異なる方向に延びる中間ライン部（第２ライン１４６）を介して前記第１ライン部に連続し、前記中間ライン部を基準として前記第１ライン部側とは反対側に向けて延びる第２ライン部（第３ライン１４７）と、を備えており、
前記シール部材の周縁部には、前記第１ライン部及び前記第２ライン部のうち前記第１ライン部に近い位置に配置された第１周縁部と、前記第１ライン部及び前記第２ライン部のうち前記第２ライン部に近い位置に配置された第２周縁部と、を備え、前記シール部材は前記第１周縁部と前記第２周縁部とにより前記境界特定領域を間に挟むようにして配置されており、
前記不可状態発生部の少なくとも一部は、前記第１ライン部よりも前記第２周縁部側であって前記第２ライン部よりも前記第１周縁部側に配置されていることを特徴とする特徴Ｃ１１又はＣ１２に記載の遊技機。
【０３６６】
特徴Ｃ１３によれば、不可状態発生部の少なくとも一部が、第１ライン部よりも第２周縁部側であって第２ライン部よりも第１周縁部側に配置されているため、シール部材が同一方向に剥がされる場合にはその剥がされる方向がいずれの方向であったとしても、境界特定領域の全体を露出させるためには、シール部材において不可状態発生部が配置された領域が剥がされることとなる。これにより、シール部材が剥がされる際に不可状態発生部において破壊が生じる可能性が高められる。その一方、剥がす方向を境界特定領域の形状に合わせて変更しながらシール部材が剥がされる場合、その剥がし行為は煩雑なものとなる。また、この場合、剥がす際にシール部材に生じる折れ目が複雑なものとなることでシール部材に大きな負荷がかかる易くなり、それに伴ってシール部材に破れが生じ易くなる。
【０３６７】
特徴Ｃ１４．前記境界特定領域は、それぞれ異なる方向に延びる複数のライン部を備えており、
前記シール部材は、前記アンテナ部が前記複数のライン部の少なくとも一部であって複数のライン部を跨ぐように貼り付けられていることを特徴とする特徴Ｃ１１乃至Ｃ１３のいずれか１に記載の遊技機。
【０３６８】
特徴Ｃ１４によれば、境界特定領域に沿ってシール部材が切断された場合には、アンテナ部が複数箇所にて切断されることとなる。そして、アンテナ部の長さ寸法がある程度短くなると、電子タグは通信不可となる。これにより、境界特定領域に沿ってシール部材が切断された場合には、遊技ホールの管理者等にとっては識別情報の読み取りを行えないことを把握することで不正行為を容易に発見することができる。
【０３６９】
特徴Ｃ１５．前記監視対象は、複数の遊技機構成部品として第１遊技機構成部品（表側構成体１１１）と第２遊技機構成部品（裏側構成体１１２）とを備えており、
前記第１遊技機構成部品の周縁部に設けられた第１貼付部（表側固定ベース部１３１）と、前記第２遊技機構成部品の周縁部に設けられた第２貼付部（裏側固定ベース部１３２）とが重ね合わせられることにより形成された境界を跨ぐようにして前記シール部材が貼り付けられており、
さらに、前記第１貼付部及び前記第２貼付部の両者に挿通され境界を跨ぐようにして配置されていることにより、前記第１貼付部と前記第２貼付部とを結合する結合具（破断ネジ１５３）を備えていることを特徴とする特徴Ｃ１１乃至Ｃ１４のいずれか１に記載の遊技機。
【０３７０】
特徴Ｃ１５によれば、第１貼付部と第２貼付部との境界を通じて切断用工具を挿入し、結合具を切断しようとする行為が想定されるが、境界特定領域に曲がり部が形成されていることにより切断用工具を挿入しづらくなっている。
【０３７１】
特徴Ｃ１６．前記監視対象は、複数の遊技機構成部品として第１遊技機構成部品（表側構成体１１１）と第２遊技機構成部品（裏側構成体１１２）とを備えており、
前記第１遊技機構成部品の周縁部に設けられた第１貼付部（表側固定ベース部１３１）と、前記第２遊技機構成部品の周縁部に設けられた第２貼付部（裏側固定ベース部１３２）とが重ね合わせられることにより形成された境界を跨ぐようにして前記シール部材が貼り付けられており、
前記第１遊技機構成部品と前記第２遊技機構成部品とを分離させる場合に前記第１貼付部と前記第２貼付部との重ね合わせ方向に対して交差する方向に前記両遊技機構成部品を相対移動させる必要があるように分離方向を規制する規制手段（フック部１１８、スリット１１９）を備えていることを特徴とする特徴Ｃ１１乃至Ｃ１５のいずれか１に記載の遊技機。
【０３７２】
特徴Ｃ１６によれば、第１遊技機構成部品と第２遊技機構成部品とを分離させるために第１貼付部と第２貼付部との重ね合わせ方向に対して交差する方向に両遊技機構成部品を相対移動させる上では、境界特定領域を跨ぐようにして貼り付けられているシール部材が邪魔となる。この場合に、上記特徴Ｂ１等の構成を備えていることにより、シール部材の切断行為が行いづらくなるとともに、シール部材を剥がした場合には識別情報の読み取りが不可となることが期待される。
【０３７３】
特徴Ｃ１７．前記監視対象は、複数の遊技機構成部品として第１遊技機構成部品（表側構成体１１１）と第２遊技機構成部品（裏側構成体１１２）とを備えており、
前記第１遊技機構成部品の周縁部に設けられた第１貼付部（表側固定ベース部１３１）と、前記第２遊技機構成部品の周縁部に設けられた第２貼付部（裏側固定ベース部１３２）とが重ね合わせられて形成された領域により前記シール部材の貼付領域が形成されており、
前記第１貼付部は前記第２貼付部との重なり側から凹む凹み領域（凹み領域１４２）を備えているとともに、前記第２貼付部は前記凹み領域に入り込み前記凹み領域が両貼付部の周面において開放されないように覆う凸壁部（突出壁部１４４）を備えており、
前記凹み領域に前記凸壁部が入り込むことで前記境界に曲がり部が生じているとともに、当該境界を跨ぐようにして前記シール部材が貼り付けられており、
さらに、前記第１遊技機構成部品と前記第２遊技機構成部品とを分離させる場合に前記第１貼付部と前記第２貼付部との重ね合わせ方向に対して交差する方向に前記両遊技機構成部品を相対移動させる必要があるように分離方向を規制する規制手段（フック部１１８、スリット１１９）と、
当該規制手段により規制されて両遊技機構成部品が相対移動する場合の前記凸壁部の移動経路上に突出するように前記凹み領域に設けられた係止部（引っ掛け部１５５）と、
を備えていることを特徴とする特徴Ｃ１１乃至Ｃ１６のいずれか１に記載の遊技機。
【０３７４】
特徴Ｃ１７によれば、第１貼付部の凹み領域に係止部が設けられていることにより、両遊技機構成部品を規制手段により規制された方向に相対移動させようとしても係止部が凸壁部と当たり当該相対移動が阻止される。これにより、第１遊技機構成部品と第２遊技機構成部品とを分離して所定の不正を行おうとしてもそれが難しくなる。そして、凹み領域に凸壁部が入り込むことで境界に曲がり部が生じている。つまり、本構成によれば第１遊技機構成部品と第２遊技機構成部品との分離を阻止する構成を利用して、境界に曲がり部を生じさせることができる。
【０３７５】
特徴Ｃ１８．前記シール部材が貼り付けられる貼付領域を囲むようにして形成され、前記シール部材の貼付位置をガイドする囲み部（囲み部１８０）を備えていることを特徴とする特徴Ｃ１乃至Ｃ１７のいずれか１に記載の遊技機。
【０３７６】
特徴Ｃ１８によれば、囲み部に囲まれた領域にシール部材を貼り付けることで、境界とシール部材との位置関係や境界とアンテナ部との位置関係が自ずと所定の位置関係となる。これにより、シール部材を貼り付ける場合の作業性を向上させることができる。
【０３７７】
なお、「囲み部」を貼付領域から突出した囲み枠として形成してもよい。この場合、不正を行うべくシール部材を剥がそうとしても、囲み枠によってその剥がし行為が行いづらくなる。そうすると、シール部材に複雑な応力がかかり易くなり、シール部材に破れが生じ易くなるとともに、それに伴ってアンテナ部が切断され易くなる。
【０３７８】
ちなみに、上記特徴Ｃ１乃至Ｃ１８のいずれか１にて限定した構成を、上記特徴Ａ１乃至Ａ１５のいずれか１に対して適用してもよい。この場合、各構成に起因する相乗的な効果を奏し得る。
【０３７９】
以下に、以上の各特徴を適用し得る各種遊技機の基本構成を示す。
【０３８０】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３８１】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０３８２】
【図１】第１の実施の形態におけるパチンコ機の構成を示す前方から見た斜視図。
【図２】遊技機本体の主要な構成を分解して示す分解斜視図。
【図３】遊技盤の構成を示す正面図。
【図４】内枠の構成を示す背面図。
【図５】（ａ）主制御装置ユニットの構成を示す斜視図、（ｂ）主制御装置ユニットの構成を示す側面図。
【図６】主制御装置ユニットの構成を示す分解斜視図。
【図７】（ａ）主制御装置の構成を示す斜視図、（ｂ）主制御装置の構成を示す側面図。
【図８】主制御装置を表面側から見た分解斜視図。
【図９】主制御装置を裏面側から見た分解斜視図。
【図１０】図７（ｂ）のＡ―Ａ線断面図。
【図１１】（ａ），（ｂ）阻止構造による分離阻止の作用を説明するための説明図。
【図１２】（ａ）封印シールの構成を示す正面図、（ｂ）封印シールの構成を示す裏面図。
【図１３】封印シールの構成を示す断面図。
【図１４】主制御装置において封印シールが貼り付けられた領域及びその周辺を拡大して示す拡大斜視図。
【図１５】貼付領域における封印シールの位置関係を説明するための説明図。
【図１６】（ａ），（ｂ）それぞれ異なる方向から見たカバー部材の斜視図。
【図１７】カバー部材が主制御装置に取り付けられている様子を説明するための説明図。
【図１８】主制御装置においてカバー部材が取り付けられた部分の断面図。
【図１９】パチンコ機の電気的構成を示すブロック図。
【図２０】パチンコ機が多数設置された遊技ホールの概略図。
【図２１】第２の実施の形態におけるＩＣタグに係る構成を説明するための説明図。
【図２２】第３の実施の形態におけるＩＣタグに係る構成を説明するための説明図。
【図２３】第４の実施の形態におけるＩＣタグに係る構成を説明するための説明図。
【図２４】第５の実施の形態におけるＩＣタグに係る構成を説明するための説明図。
【符号の説明】
【０３８３】
１０…パチンコ機、１１…外枠、１３…内枠、３１…搭載部を構成する樹脂ベース、３３…搭載部を構成する遊技盤、６６…他の遊技機構成部品としての音声ランプ制御装置、８２…他の遊技機構成部品としての払出制御装置、９２…監視対象としての主制御装置、９３…カバー部材、１０１…主制御基板、１０２…基板ボックス、１１１…表側構成体、１１２…裏側構成体、１３１…表側固定ベース部、１３２…裏側固定ベース部、１３６…境界、１４２…凹み領域、１４４…突出壁部、１４５…第１ライン、１４６…一対のライン部を構成する第２ライン、１４７…第３ライン、１４８…一対のライン部を構成する第４ライン、１５３…破断ネジ、１５５…引っ掛け部、１６０…封印シール、１６１…ベースシート、１６３…ＩＣタグ、１７１…記憶部又は制御部を構成するＩＣチップ、１７２…アンテナ部材、１７３…不可状態発生部としてのスリット、１７６…易切断部としてのアンテナ用切り込み、１９２…取付部を構成する爪部、１９３…取付部を構成する受け部、１９４…第１離間壁部、１９５…第２離間壁部、２４２…規制壁部としての壁部。
【図１】
2010131226.tif 000003
【図２】
2010131226.tif 000004
【図３】
2010131226.tif 000005
【図４】
2010131226.tif 000006
【図５】
2010131226.tif 000007
【図６】
2010131226.tif 000008
【図７】
2010131226.tif 000009
【図８】
2010131226.tif 000010
【図９】
2010131226.tif 000011
【図１０】
2010131226.tif 000012
【図１１】
2010131226.tif 000013
【図１２】
2010131226.tif 000014
【図１３】
2010131226.tif 000015
【図１４】
2010131226.tif 000016
【図１５】
2010131226.tif 000017
【図１６】
2010131226.tif 000018
【図１７】
2010131226.tif 000019
【図１８】
2010131226.tif 000020
【図１９】
2010131226.tif 000021
【図２０】
2010131226.tif 000022
【図２１】
2010131226.tif 000023
【図２２】
2010131226.tif 000024
【図２３】
2010131226.tif 000025
【図２４】
2010131226.tif 000026